(57)【特許請求の範囲】
【請求項１】
直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、
前記チャネル品質インジケータ報告のために使用される無線リソースを管理する方法であって、
前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するステップと、
指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てるステップと、
前記基地局と一つの移動局の間で通信が終了または断絶するとき、当該移動局から前記基地局へのチャネル品質インジケータ報告に割り当てられていた巡回シフト符号を解放するステップと、
前記割り当てるステップで割り当てられた複数の使用済みの巡回シフト符号を、前記指定されたリソース単位群について、当該巡回シフト符号が割り当てられた移動局と対応付けて、記憶するステップと、
前記割り当てるステップで直近に割り当てられた直近割り当て巡回シフト符号を記憶するステップとを備え、
前記割り当てるステップでは、他の移動局からのチャネル品質インジケータ報告のために直近に割り当てられた直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てる
ことを特徴とする無線リソースの管理方法。
【請求項２】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、
定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類するステップをさらに備え、
前記直近に割り当てられた直近割り当て巡回シフト符号を記憶するステップでは、前記割り当てるステップで巡回シフト符号が直近に割り当てられた移動局と同じ移動局群に属する前記第１の移動局および前記第２の移動局に共通の直近割り当て巡回シフト符号として、前記割り当てるステップで直近に割り当てられた直近割り当て巡回シフト符号を記憶し、
前記割り当てるステップでは、第１の移動局に巡回シフト符号を新たに割り当てる場合に、このステップで巡回シフト符号を新たに割り当てようとする第１の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当てる
ことを特徴とする請求項１に記載の無線リソースの管理方法。
【請求項３】
前記割り当てるステップでは、第２の移動局に巡回シフト符号を新たに割り当てる場合に、このステップで巡回シフト符号を新たに割り当てようとする第２の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項２に記載の無線リソースの管理方法。
【請求項４】
複数の第１の移動局がチャネル品質インジケータ報告を前記基地局に送信する前記第１の周期は、複数の第２の移動局がチャネル品質インジケータ報告を前記基地局に送信する前記第２の周期よりも短く、
前記指定するステップでは、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択し、
前記割り当てるステップでは、第２の移動局に巡回シフト符号を新たに割り当てる場合に、このステップで巡回シフト符号を新たに割り当てようとする第２の移動局が属することになる移動局群に共通する共通の直近割り当て巡回シフト符号より低い優先順位を持ち、前記指定するステップで選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項２に記載の無線リソースの管理方法。
【請求項５】
直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、
前記チャネル品質インジケータ報告のために使用される無線リソースを管理する方法であって、
前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するステップと、
指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てるステップと、
前記基地局と一つの移動局の間で通信が終了または断絶するとき、当該移動局から前記基地局へのチャネル品質インジケータ報告に割り当てられていた巡回シフト符号を解放するステップと、
前記割り当てるステップで割り当てられた複数の使用済みの巡回シフト符号を、前記指定されたリソース単位群について、当該巡回シフト符号が割り当てられた移動局と対応付けて、記憶するステップと、
前記解放するステップで直近に解放された直近解放巡回シフト符号を記憶するステップとを備え、
前記割り当てるステップでは、他の移動局からのチャネル品質インジケータ報告から直近に解放された直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てる
ことを特徴とする無線リソースの管理方法。
【請求項６】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、
定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類するステップをさらに備え、
前記直近に解放された直近解放巡回シフト符号を記憶するステップでは、前記解放するステップで巡回シフト符号が直近に解放された移動局と同じ移動局群に属する前記第１の移動局および前記第２の移動局に共通の直近解放巡回シフト符号として、前記解放するステップで直近に解放された直近解放巡回シフト符号を記憶し、
前記割り当てるステップでは、第１の移動局に巡回シフト符号を新たに割り当てる場合に、このステップで巡回シフト符号を新たに割り当てようとする第１の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当てる
ことを特徴とする請求項５に記載の無線リソースの管理方法。
【請求項７】
前記割り当てるステップでは、第２の移動局に巡回シフト符号を新たに割り当てる場合に、このステップで巡回シフト符号を新たに割り当てようとする第２の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項６に記載の無線リソースの管理方法。
【請求項８】
複数の第１の移動局がチャネル品質インジケータ報告を前記基地局に送信する前記第１の周期は、複数の第２の移動局がチャネル品質インジケータ報告を前記基地局に送信する前記第２の周期よりも短く、
前記指定するステップでは、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択し、
前記割り当てるステップでは、第２の移動局に巡回シフト符号を新たに割り当てる場合に、このステップで巡回シフト符号を新たに割り当てようとする第２の移動局が属することになる移動局群に共通する共通の直近解放巡回シフト符号より低い優先順位を持ち、前記指定するステップで選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項６に記載の無線リソースの管理方法。
【請求項９】
直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、
前記チャネル品質インジケータ報告のために使用される無線リソースを管理する装置であって、
前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するリソース単位群指定部と、
指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てる巡回シフト符号割り当て部と、
前記基地局と一つの移動局の間で通信が終了または断絶するとき、当該移動局から前記基地局へのチャネル品質インジケータ報告に割り当てられていた巡回シフト符号を解放する巡回シフト符号解放部と、
前記巡回シフト符号割り当て部で割り当てられた複数の使用済みの巡回シフト符号を、前記指定されたリソース単位群について、当該巡回シフト符号が割り当てられた移動局と対応付けて、記憶する使用済み巡回シフト符号記憶部と、
前記巡回シフト符号割り当て部で直近に割り当てられた直近割り当て巡回シフト符号を記憶する直近割り当て巡回シフト符号記憶部とを備え、
前記巡回シフト符号割り当て部は、前記巡回シフト符号割り当て部で他の移動局からのチャネル品質インジケータ報告のために直近に割り当てられた直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てる
ことを特徴とする無線リソースの管理装置。
【請求項１０】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、
定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類する移動局分類部をさらに備え、
前記直近割り当て巡回シフト符号記憶部は、前記巡回シフト符号割り当て部で巡回シフト符号が直近に割り当てられた移動局と同じ移動局群に属する前記第１の移動局および前記第２の移動局に共通の直近割り当て巡回シフト符号として、前記巡回シフト符号割り当て部で直近に割り当てられた直近割り当て巡回シフト符号を記憶し、
前記巡回シフト符号割り当て部は、第１の移動局に巡回シフト符号を新たに割り当てる場合に、巡回シフト符号を新たに割り当てようとする第１の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当てる
ことを特徴とする請求項９に記載の無線リソースの管理装置。
【請求項１１】
前記巡回シフト符号割り当て部は、第２の移動局に巡回シフト符号を新たに割り当てる場合に、巡回シフト符号を新たに割り当てようとする第２の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項１０に記載の無線リソースの管理装置。
【請求項１２】
複数の第１の移動局がチャネル品質インジケータ報告を前記基地局に送信する前記第１の周期は、複数の第２の移動局がチャネル品質インジケータ報告を前記基地局に送信する前記第２の周期よりも短く、
前記リソース単位群指定部は、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択し、
前記巡回シフト符号割り当て部は、第２の移動局に巡回シフト符号を新たに割り当てる場合に、巡回シフト符号を新たに割り当てようとする第２の移動局が属することになる移動局群に共通する共通の直近割り当て巡回シフト符号より低い優先順位を持ち、前記リソース単位群指定部で選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項１０に記載の無線リソースの管理装置。
【請求項１３】
直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、
前記チャネル品質インジケータ報告のために使用される無線リソースを管理する装置であって、
前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するリソース単位群指定部と、
指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てる巡回シフト符号割り当て部と、
前記基地局と一つの移動局の間で通信が終了または断絶するとき、当該移動局から前記基地局へのチャネル品質インジケータ報告に割り当てられていた巡回シフト符号を解放する巡回シフト符号解放部と、
前記巡回シフト符号割り当て部で割り当てられた複数の使用済みの巡回シフト符号を、前記指定されたリソース単位群について、当該巡回シフト符号が割り当てられた移動局と対応付けて、記憶する使用済み巡回シフト符号記憶部と、
前記巡回シフト符号解放部で直近に解放された直近解放巡回シフト符号を記憶する直近解放巡回シフト符号記憶部とを備え、
前記巡回シフト符号割り当て部では、前記巡回シフト符号解放部で他の移動局からのチャネル品質インジケータ報告から直近に解放された直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てる
ことを特徴とする無線リソースの管理装置。
【請求項１４】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、
定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類する移動局分類部をさらに備え、
直近解放巡回シフト符号記憶部は、前記巡回シフト符号解放部で巡回シフト符号が直近に解放された移動局と同じ移動局群に属する前記第１の移動局および前記第２の移動局に共通の直近解放巡回シフト符号として、前記巡回シフト符号解放部で直近に解放された直近解放巡回シフト符号を記憶し、
前記巡回シフト符号割り当て部は、第１の移動局に巡回シフト符号を新たに割り当てる場合に、巡回シフト符号を新たに割り当てようとする第１の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当てる
ことを特徴とする請求項１３に記載の無線リソースの管理装置。
【請求項１５】
前記巡回シフト符号割り当て部は、第２の移動局に巡回シフト符号を新たに割り当てる場合に、巡回シフト符号を新たに割り当てようとする第２の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項１４に記載の無線リソースの管理装置。
【請求項１６】
複数の第１の移動局がチャネル品質インジケータ報告を前記基地局に送信する前記第１の周期は、複数の第２の移動局がチャネル品質インジケータ報告を前記基地局に送信する前記第２の周期よりも短く、
前記リソース単位群指定部は、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択し、
前記巡回シフト符号割り当て部は、第２の移動局に巡回シフト符号を新たに割り当てる場合に、巡回シフト符号を新たに割り当てようとする第２の移動局が属することになる移動局群に共通する共通の直近解放巡回シフト符号より低い優先順位を持ち、前記リソース単位群指定部で選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当てる
ことを特徴とする請求項１４に記載の無線リソースの管理装置。
【発明の詳細な説明】
【技術分野】
【０００１】
本発明は、移動局が移動局での受信品質に対応するチャネル品質インジケータを基地局に報告するために使用する無線リソースの管理方法および管理装置に関する。
【背景技術】
【０００２】
UMTS LTE（Universal Mobile Telecommunications System Long Term Evolution）では、下りリンクの変調方式として、ＯＦＤＭＡ（Orthogonal Frequency Division Multiple Access、直交周波数分割多元接続方式）が用いられ、上りリンクの変調方式として、ＳＣ−ＦＤＭＡ（Single-Carrier Frequency-Division Multiple Access）が用いられる。また、ＬＴＥでは、１サブフレーム毎の瞬時の受信品質に基づいて時間方向及び周波数方向の無線リソースを動的に割り当てるダイナミックスケジューリングを用いて、高速パケット通信を実現している（例えば、特許文献１、特許文献２、および非特許文献１）。
【０００３】
しかし、ダイナミックスケジューリングでは、受信品質のフィードバックや割り当てた無線リソースの通知などのための制御情報を、データ送信の度に送信する必要がある。このため、ＶｏＩＰ（Voice over IP）のように、ペイロードサイズの小さいパケットデータが周期的に発生するパケット通信にダイナミックスケジューリングを用いると、制御オーバヘッドが相対的に増加し、伝送効率が低下する。そこで、制御情報を付与せずに同一の無線リソースを固定的に割り当てるセミパーシステントスケジューリングが提案されている（例えば、特許文献１、特許文献２、非特許文献２）。
【０００４】
いずれのスケジューリングにおいても、移動局はその移動局での参照信号（reference signals）の受信品質に対応するチャネル品質インジケータ（CQI）を基地局に報告し、基地局はCQIに基づいて、移動局への無線リソースを割り当てる。
【先行技術文献】
【特許文献】
【０００５】
【特許文献１】特開２０１１−１２４６５６号公報
【特許文献２】特開２０１０−５２２４６７号公報
【非特許文献】
【０００６】
【非特許文献１】3GPP TS 36.213 V8.8.0 (2009-09), 3rd Generation Partnership Project; Technical Specification Group Radio Access Network; Evolved Universal Terrestrial Radio Access (E-UTRA); "Physical layer procedures", ２００９年９月
【非特許文献２】3GPP TS 36.321 V8.10.0 (2011-09), 3rd Generation Partnership Project; Technical Specification Group Radio Access Network; Evolved Universal Terrestrial Radio Access (E-UTRA); "Medium Access Control (MAC) protocol specification", ２０１１年９月
【発明の概要】
【発明が解決しようとする課題】
【０００７】
各移動局からチャネル品質インジケータ報告は、例えばPUCCH（Physical Uplink Control Channel）で基地局へ送信される。複数の移動局からのチャネル品質インジケータ報告にはなるべく同じリソース単位（周波数と時刻で特定される）を使用しないように、基地局が各移動局からのチャネル品質インジケータ報告のためのリソース単位群（一定周期を有する）を割り当て、各移動局に割り当てられたリソース単位群を通知する。しかし、基地局が多数の移動局と通信する場合には、複数の移動局に同じリソース単位群を割り当てざるをえない。この場合、複数の移動局は異なる巡回シフト符号でチャネル品質インジケータ報告を変調し、一つのリソース単位群を共用して変調されたチャネル品質インジケータ報告を基地局に送信する。基地局は、受信されたチャネル品質インジケータ報告の送信元を、変調された符号によって識別することができる。
【０００８】
このような複数の移動局がチャネル品質インジケータの報告のために同じリソース単位群を共用する技術では下記の問題がある。
【０００９】
基地局と移動局の通信が断絶する場合には、その通信のために移動局がチャネル品質インジケータ報告に使用していた無線リソース（巡回シフト符号を含む）が解放される。例えば、通信の間、上りリンクにおける移動局の送信タイミングを調整するために基地局は移動局にTA Command（タイミング調整コマンド）を定期的に（例えば200 msecの周期で）送信し、TA Commandを受信した移動局は基地局にTA Command Ack（タイミング調整コマンド受信確認）を送信する。基地局は、TA Command Ackを最後に受信してから、一定の期間（例えば750 msec）、新しいTA Command Ackを受信しなければ、その移動局からのチャネル品質インジケータ報告に割り当てられていた巡回シフト符号を解放する。解放された巡回シフト符号は、そのリソース単位群を使用してチャネル品質インジケータ報告を送信しようとする他の移動局に割り当てすることが可能である。他方、移動局は、TA Commandを最後に受信してから、一定の期間（例えば750 msec）、新しいTA Commandを受信しなければ、その移動局からのチャネル品質インジケータ報告に割り当てられていた無線リソース（巡回シフト符号を含む）を解放する。
【００１０】
しかし、基地局と移動局の間の無線環境によっては、移動局が下りリンクのTA Commandを受信できても、基地局が上りリンクのTA Command Ackを受信できないことがある。この場合には、基地局が移動局よりもかなり先に巡回シフト符号を解放する。そして、移動局が巡回シフト符号を解放していないのに、新たに基地局と通信しようとする他の移動局（同じリソース単位群を使用してチャネル品質インジケータ報告を送信しようとする他の移動局）に基地局がその巡回シフト符号を割り当ててしまうことがありうる。そのような場合には、複数の移動局が同じリソース単位群で同じ巡回シフト符号を利用してチャネル品質インジケータ報告を送信することになり、基地局ではチャネル品質インジケータ報告を正確に認識することができない。
【００１１】
そこで、本発明は、新たに基地局と通信しようとする移動局に、基地局が解放した直後のチャネル品質インジケータ報告のための無線リソースを割り当てるおそれが少ない無線リソースの管理方法および管理装置を提供する。
【課題を解決するための手段】
【００１２】
本発明に係る１つの無線リソースの管理方法は、直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、前記チャネル品質インジケータ報告のために使用される無線リソースを管理する方法であって、前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するステップと、指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てるステップと、前記基地局と一つの移動局の間で通信が終了または断絶するとき、当該移動局から前記基地局へのチャネル品質インジケータ報告に割り当てられていた巡回シフト符号を解放するステップと、前記割り当てるステップで割り当てられた複数の使用済みの巡回シフト符号を、前記指定されたリソース単位群について、当該巡回シフト符号が割り当てられた移動局と対応付けて、記憶するステップと、前記割り当てるステップで直近に割り当てられた直近割り当て巡回シフト符号を記憶するステップとを備え、前記割り当てるステップでは、他の移動局からのチャネル品質インジケータ報告のために直近に割り当てられた直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てることを特徴とする。
【００１３】
この無線リソースの管理方法では、指定されたリソース単位群において他の移動局からのチャネル品質インジケータ報告で使用されていない巡回シフト符号を、基地局と移動局の間で新たに発生した通信のために当該移動局から基地局へのチャネル品質インジケータ報告に新たに割り当てるので、他の移動局からのチャネル品質インジケータ報告で現在使用中の巡回シフト符号を、新規な通信に割り当てることを避けることができる。また、割り当てるステップでは、他の移動局からのチャネル品質インジケータ報告のために直近に割り当てられた直近割り当て巡回シフト符号より低い優先順位を持ち、指定されたリソース単位群において他の移動局からのチャネル品質インジケータ報告で使用されておらず、かつ最も高い優先順位を持つ巡回シフト符号を、基地局と移動局の間で新たに発生した通信のために当該移動局から基地局へのチャネル品質インジケータ報告に新たに割り当てる。巡回シフト符号を移動局に割り当てるたびに、このような動作が行われるため、そのリソース単位群において、かなり以前に解放された巡回シフト符号を新たに発生した通信のために割り当てることができる。チャネル品質インジケータ報告のためには、多数のリソース単位群が利用可能であり、これらのリソース単位群の各々において複数の巡回シフト符号が利用可能であるため、一つのリソース単位群において、かなり以前に解放された巡回シフト符号が、基地局が解放した直後のチャネル品質インジケータ報告のための巡回シフト符号と一致する可能性は極めて低い。したがって、新たに基地局と通信しようとする移動局に、基地局が解放した直後のチャネル品質インジケータ報告のための巡回シフト符号を割り当てるおそれは少ない。また、移動局に割り当てられる巡回シフト符号の優先順位は、それらの巡回生成順序と同順序でも逆順序でもなく並べられているため、巡回生成順序が近い巡回シフト符号が二つの移動局に割り当てられるおそれが少ない。このため、ある移動局からのある巡回符号を用いたチャネル品質インジケータ報告の遅延波が、他の移動局からの他の巡回符号を用いたチャネル品質インジケータ報告に干渉するおそれが少ない。
【００１４】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、上記の無線リソースの管理方法は、定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類するステップをさらに備えてよく、前記直近に割り当てられた直近割り当て巡回シフト符号を記憶するステップでは、前記割り当てるステップで巡回シフト符号が直近に割り当てられた移動局と同じ移動局群に属する前記第１の移動局および前記第２の移動局に共通の直近割り当て巡回シフト符号として、前記割り当てるステップで直近に割り当てられた直近割り当て巡回シフト符号を記憶してもよく、前記割り当てるステップでは、第１の移動局に巡回シフト符号を新たに割り当てる場合に、このステップで巡回シフト符号を新たに割り当てようとする第１の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当ててもよい。
【００１５】
「少なくとも部分的に同じリソース単位群を利用する」とは、「完全に同じリソース単位群を利用する」ことと「部分的に同じリソース単位群を利用する」ことを含む。「完全に同じリソース単位群を利用する」とは、第１の移動局と第２の移動局のチャネル品質インジケータ報告の周期が同じであって、同じ周波数かつ同じ時刻に第１の移動局と第２の移動局がチャネル品質インジケータ報告を送信することを意味する。「部分的に同じリソース単位群を利用する」とは、第１の移動局のチャネル品質インジケータ報告の周期が第２の移動局のチャネル品質インジケータ報告の周期の整数倍または整数分の１であって、同じ周波数かつ部分的に同じ時刻に第１の移動局と第２の移動局がチャネル品質インジケータ報告を送信することを意味する。上記の態様では、定期的に同じリソース単位群を共用するであろう複数の移動局からなる移動局群に共通の直近割り当て巡回シフト符号を記憶し、割り当てるステップでは、チャネル品質インジケータ報告の送信周期がより短い第１の移動局に巡回シフト符号を新たに割り当てる場合に、その第１の移動局が属することになる移動局群に共通する共通の直近割り当て巡回シフト符号より低い優先順位を持つ巡回シフト符号をその第１の移動局に割り当てる。このように、定期的に同じリソース単位群を共用するであろう複数の移動局群に共通の直近割り当て巡回シフト符号を管理することで、各移動局群に属する複数の移動局に同一の巡回シフト符号が割り当てられることを防止することができる。
【００１６】
前記割り当てるステップでは、第２の移動局に巡回シフト符号を新たに割り当てる場合に、このステップで巡回シフト符号を新たに割り当てようとする第２の移動局が属することになる移動局群に共通する共通の直近割り当て巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当ててもよい。定期的に同じリソース単位群を共用するであろう複数の移動局群に共通の直近割り当て巡回シフト符号を管理することで、各移動局群に属する複数の移動局に同一の巡回シフト符号が割り当てられることを防止することができる。
【００１７】
複数の第１の移動局がチャネル品質インジケータ報告を前記基地局に送信する前記第１の周期が、複数の第２の移動局がチャネル品質インジケータ報告を前記基地局に送信する前記第２の周期よりも短い場合には、前記指定するステップでは、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択してもよく、前記割り当てるステップでは、第２の移動局に巡回シフト符号を新たに割り当てる場合に、このステップで巡回シフト符号を新たに割り当てようとする第２の移動局が属することになる移動局群に共通する共通の直近割り当て巡回シフト符号より低い優先順位を持ち、前記指定するステップで選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当ててもよい。
この場合、他の移動局からのチャネル品質インジケータ報告に使用済みの巡回シフト符号の数が最も少ないリソース単位を選択することで、チャネル品質インジケータ報告の送信周期がより長い第２の移動局に、干渉のおそれが少ないリソース単位を指定することができる。送信周期が長いことは、一旦受信側で受信に失敗すると、次に受信成功するまでの期間が長いことを意味する。干渉のおそれが少ないリソース単位を第２の移動局に指定することにより、送信周期が長い第２の移動局から基地局がチャネル品質インジケータ報告を受信成功する確実性が高まる。また、割り当てるステップでは、チャネル品質インジケータ報告の送信周期がより長い第２の移動局に巡回シフト符号を新たに割り当てる場合に、その第２の移動局が属することになる移動局群に共通する共通の直近割り当て巡回シフト符号より低い優先順位を持つ巡回シフト符号をその第２の移動局に割り当てる。定期的に同じリソース単位群を共用するであろう複数の移動局群に共通の直近割り当て巡回シフト符号を管理することで、各移動局群に属する複数の移動局に同一の巡回シフト符号が割り当てられることを防止することができる。
【００１８】
本発明に係る他の１つの無線リソースの管理方法は、直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、前記チャネル品質インジケータ報告のために使用される無線リソースを管理する方法であって、前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するステップと、指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てるステップと、前記基地局と一つの移動局の間で通信が終了または断絶するとき、当該移動局から前記基地局へのチャネル品質インジケータ報告に割り当てられていた巡回シフト符号を解放するステップと、前記割り当てるステップで割り当てられた複数の使用済みの巡回シフト符号を、前記指定されたリソース単位群について、当該巡回シフト符号が割り当てられた移動局と対応付けて、記憶するステップと、前記解放するステップで直近に解放された直近解放巡回シフト符号を記憶するステップとを備え、前記割り当てるステップでは、他の移動局からのチャネル品質インジケータ報告から直近に解放された直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てることを特徴とする。
【００１９】
この無線リソースの管理方法では、指定されたリソース単位群において他の移動局からのチャネル品質インジケータ報告で使用されていない巡回シフト符号を、基地局と移動局の間で新たに発生した通信のために当該移動局から基地局へのチャネル品質インジケータ報告に新たに割り当てるので、他の移動局からのチャネル品質インジケータ報告で現在使用中の巡回シフト符号を、新規な通信に割り当てることを避けることができる。また、割り当てるステップでは、他の移動局からのチャネル品質インジケータ報告から直近に解放された直近割り当て巡回シフト符号より低い優先順位を持ち、指定されたリソース単位群において他の移動局からのチャネル品質インジケータ報告で使用されておらず、かつ最も高い優先順位を持つ巡回シフト符号を、基地局と移動局の間で新たに発生した通信のために当該移動局から基地局へのチャネル品質インジケータ報告に新たに割り当てる。このため、そのリソース単位群において、直近に解放された直近割り当て巡回シフト符号を新たに発生した通信のために割り当てることを回避することができる。したがって、新たに基地局と通信しようとする移動局に、基地局が解放した直後のチャネル品質インジケータ報告のための巡回シフト符号を割り当てるおそれはない。また、移動局に割り当てられる巡回シフト符号の優先順位は、それらの巡回生成順序と同順序でも逆順序でもなく並べられているため、巡回生成順序が近い巡回シフト符号が二つの移動局に割り当てられるおそれが少ない。このため、ある移動局からのある巡回符号を用いたチャネル品質インジケータ報告の遅延波が、他の移動局からの他の巡回符号を用いたチャネル品質インジケータ報告に干渉するおそれが少ない。
【００２０】
前記複数の移動局には、チャネル品質インジケータ報告を一定の第１の周期で前記基地局に送信する複数の第１の移動局と、チャネル品質インジケータ報告を一定の第２の周期で前記基地局に送信する複数の第２の移動局とがあり、上記の無線リソースの管理方法は、定期的に同じリソース単位群を利用してチャネル品質インジケータ報告を前記基地局に送信する複数の第１の移動局と、これらの第１の移動局と少なくとも部分的に同じリソース単位群を利用してチャネル品質インジケータ報告を前記基地局に定期的に送信する複数の第２の移動局とが一つの移動局群に属するように、前記複数の第１の移動局および前記複数の第２の移動局を複数の移動局群に分類するステップをさらに備えてよく、前記直近に解放された直近解放巡回シフト符号を記憶するステップでは、前記解放するステップで巡回シフト符号が直近に解放された移動局と同じ移動局群に属する前記第１の移動局および前記第２の移動局に共通の直近解放巡回シフト符号として、前記解放するステップで直近に解放された直近解放巡回シフト符号を記憶してもよく、前記割り当てるステップでは、第１の移動局に巡回シフト符号を新たに割り当てる場合に、このステップで巡回シフト符号を新たに割り当てようとする第１の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第１の移動局の間で新たに発生した通信のために当該第１の移動局から前記基地局へのチャネル品質インジケータ報告に新たに割り当ててもよい。
【００２１】
この場合、定期的に同じリソース単位群を共用するであろう複数の移動局からなる移動局群に共通の直近解放巡回シフト符号を記憶し、割り当てるステップでは、チャネル品質インジケータ報告の送信周期がより短い第１の移動局に巡回シフト符号を新たに割り当てる場合に、その第１の移動局が属することになる移動局群に共通する共通の直近解放巡回シフト符号より低い優先順位を持つ巡回シフト符号をその第１の移動局に割り当てる。このように、定期的に同じリソース単位群を共用するであろう複数の移動局群に共通の直近解放巡回シフト符号を管理することで、各移動局群に属する複数の移動局に同一の巡回シフト符号が割り当てられることを防止することができる。
【００２２】
前記割り当てるステップでは、第２の移動局に巡回シフト符号を新たに割り当てる場合に、このステップで巡回シフト符号を新たに割り当てようとする第２の移動局が属することになる移動局群に共通する共通の直近解放巡回シフト符号より低い優先順位を持ち、この移動局群に属する他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当ててもよい。定期的に同じリソース単位群を共用するであろう複数の移動局群に共通の直近割り当て巡回シフト符号を管理することで、各移動局群に属する複数の移動局に同一の巡回シフト符号が割り当てられることを防止することができる。
【００２３】
複数の第１の移動局がチャネル品質インジケータ報告を前記基地局に送信する前記第１の周期が、複数の第２の移動局がチャネル品質インジケータ報告を前記基地局に送信する前記第２の周期よりも短い場合には、前記指定するステップでは、前記基地局と一つの第２の移動局の間で新たな通信が発生するときに、第２の移動局からのチャネル品質インジケータ報告に割り当て可能な上りリンクの複数のリソース単位群のうち、他の移動局からのチャネル品質インジケータ報告に使用済みの巡回シフト符号の数が最も少ないリソース単位群を選択してもよく、前記割り当てるステップでは、第２の移動局に巡回シフト符号を新たに割り当てる場合に、このステップで巡回シフト符号を新たに割り当てようとする第２の移動局が属することになる移動局群に共通する共通の直近解放巡回シフト符号より低い優先順位を持ち、前記指定するステップで選択されたリソース単位群において他の移動局からのチャネル品質インジケータ報告で使用されておらず、かつ最も高い優先順位を持つ巡回シフト符号を、前記基地局と当該第２の移動局の間で新たに発生した通信のために当該第２の移動局から前記基地局へのチャネル品質インジケータ報告に新たに割り当ててもよい。
この場合、他の移動局からのチャネル品質インジケータ報告に使用済みの巡回シフト符号の数が最も少ないリソース単位を選択することで、チャネル品質インジケータ報告の送信周期がより長い第２の移動局に、干渉のおそれが少ないリソース単位を指定することができる。送信周期が長いことは、一旦受信側で受信に失敗すると、次に受信成功するまでの期間が長いことを意味する。干渉のおそれが少ないリソース単位を第２の移動局に指定することにより、送信周期が長い第２の移動局から基地局がチャネル品質インジケータ報告を受信成功する確実性が高まる。また、割り当てるステップでは、チャネル品質インジケータ報告の送信周期がより長い第２の移動局に巡回シフト符号を新たに割り当てる場合に、その第２の移動局が属することになる移動局群に共通する共通の直近割り当て巡回シフト符号より低い優先順位を持つ巡回シフト符号をその第２の移動局に割り当てる。定期的に同じリソース単位群を共用するであろう複数の移動局群に共通の直近解放巡回シフト符号を管理することで、各移動局群に属する複数の移動局に同一の巡回シフト符号が割り当てられることを防止することができる。
【００２４】
本発明に係る１つの無線リソースの管理装置は、直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、前記チャネル品質インジケータ報告のために使用される無線リソースを管理する装置であって、前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するリソース単位群指定部と、指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てる巡回シフト符号割り当て部と、前記基地局と一つの移動局の間で通信が終了または断絶するとき、当該移動局から前記基地局へのチャネル品質インジケータ報告に割り当てられていた巡回シフト符号を解放する巡回シフト符号解放部と、前記巡回シフト符号割り当て部で割り当てられた複数の使用済みの巡回シフト符号を、前記指定されたリソース単位群について、当該巡回シフト符号が割り当てられた移動局と対応付けて、記憶する使用済み巡回シフト符号記憶部と、前記巡回シフト符号割り当て部で直近に割り当てられた直近割り当て巡回シフト符号を記憶する直近割り当て巡回シフト符号記憶部とを備え、前記巡回シフト符号割り当て部は、前記巡回シフト符号割り当て部で他の移動局からのチャネル品質インジケータ報告のために直近に割り当てられた直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てることを特徴とする。
【００２５】
本発明に係る他の１つの無線リソースの管理装置は、直交周波数分割多元接続方式に従って基地局が複数の移動局と通信し、複数の移動局が、これらの移動局での受信品質に対応するチャネル品質インジケータをそれぞれ基地局に報告するために、チャネル品質インジケータ報告を異なる巡回シフト符号で変調し、周波数と時刻で特定されるリソース単位を利用して変調されたチャネル品質インジケータ報告を上りリンクで送信するシステムにおいて、前記チャネル品質インジケータ報告のために使用される無線リソースを管理する装置であって、前記基地局と一つの移動局の間で新たな通信が発生するときに、当該移動局がチャネル品質インジケータ報告を定期的に送信するように、ある周波数帯で一定周期を有する上りリンクのリソース単位群を新たに指定するリソース単位群指定部と、指定された前記リソース単位群について、複数の巡回シフト符号がそれらの巡回生成順序と同順序でも逆順序でもなく並べられた所定の優先順位に従って、一つの巡回シフト符号を、当該移動局から前記基地局へのチャネル品質インジケータ報告に新たに割り当てる巡回シフト符号割り当て部と、前記基地局と一つの移動局の間で通信が終了または断絶するとき、当該移動局から前記基地局へのチャネル品質インジケータ報告に割り当てられていた巡回シフト符号を解放する巡回シフト符号解放部と、前記巡回シフト符号割り当て部で割り当てられた複数の使用済みの巡回シフト符号を、前記指定されたリソース単位群について、当該巡回シフト符号が割り当てられた移動局と対応付けて、記憶する使用済み巡回シフト符号記憶部と、前記巡回シフト符号解放部で直近に解放された直近解放巡回シフト符号を記憶する直近解放巡回シフト符号記憶部とを備え、前記巡回シフト符号割り当て部では、前記巡回シフト符号解放部で他の移動局からのチャネル品質インジケータ報告から直近に解放された直近割り当て巡回シフト符号より低い優先順位を持ち、前記リソース単位群において他の移動局からのチャネル品質インジケータ報告で使用されておらず、かつ最も高い優先順位を持つ巡回シフト符号を、前記基地局と移動局の間で新たに発生した通信のために当該移動局から前記基地局へのチャネル品質インジケータ報告に新たに割り当てることを特徴とする。
【図面の簡単な説明】
【００２６】
【図１】本発明に係る無線リソースの管理方法が使用される通信システムを示す概略図である。
【図２】図１の通信システムで実行されるチャネル品質インジケータ報告の手順を示す情報フローダイアグラムである。
【図３】チャネル品質インジケータ報告のために移動局に割り当て可能な無線リソースを示す概略図である。
【図４Ａ】各リソース単位において、チャネル品質インジケータ報告のために移動局に割り当て可能な巡回シフト符号の例を示す図である。
【図４Ｂ】各リソース単位において、チャネル品質インジケータ報告のために移動局に割り当て可能な巡回シフト符号の他の例を示す図である。
【図４Ｃ】各リソース単位において、チャネル品質インジケータ報告のために移動局に割り当て可能な巡回シフト符号の他の例を示す図である。
【図５】図１の通信システムで実行される通信の継続を確認する手順を示す情報フローダイアグラムである。
【図６】本発明の第１の実施の形態に係る無線リソースの管理装置の一例である基地局の構成を示すブロック図である。
【図７】図６の基地局で管理される符号使用管理テーブルの内容の例を示す図である。
【図８】図６の基地局で管理される直近割り当て管理テーブルの内容の例を示す図である。
【図９】本発明の第１の実施の形態に係る無線リソースの管理方法の具体例を説明するために使用される図である。
【図１０】本発明の第２の実施の形態に係る無線リソースの管理装置の一例である基地局の構成を示すブロック図である。
【図１１】図１０の基地局で管理される直近解放管理テーブルの内容の例を示す図である。
【図１２】第２の実施の形態に係る無線リソースの管理方法の具体例を説明するために使用される図である。
【発明を実施するための形態】
【００２７】
以下、添付の図面を参照しながら本発明に係る様々な実施の形態を説明する。
【００２８】
基本構成および基本動作
図１に示すように、本発明に係る無線リソースの管理方法が使用される通信システムは、基地局２と、基地局２のセル２ａ内に配置されて基地局２と通信する複数の移動局４を備える。簡略化のため、図１では、単一の基地局２と２つの移動局４のみが示されているが、一つの通信システムには実際には複数の基地局２が設けられ、より多数の移動局４が存在する。
【００２９】
基地局２は、例えばUMTS LTEでのeNB（evolved Node B）であってもよいし、移動局４は例えばUMTS LTEでのUE（User Equipment）であってもよい。下りリンクの変調方式として、ＯＦＤＭＡが用いられ、上りリンクの変調方式として、ＳＣ−ＦＤＭＡが用いられる。
【００３０】
UMTS LTEの通信システムでは、下りリンクのデータ送信のため、宛先としての移動局の各々に無線リソースを割り当てるスケジューリングが行われる。スケジューリングには、上記の通り、ダイナミックスケジューリング（ＤＳ）と、セミパーシステントスケジューリング（ＳＰＳ）とがある。いずれの場合にせよ、下りリンクのスケジューリングでは、基地局から送信された参照信号（reference signals）の受信品質（チャネル品質）を各移動局が測定し、その移動局での参照信号の受信品質に対応するチャネル品質インジケータ（CQI）を基地局に報告する。基地局は、移動局から送信されたCQIに基づいて、各移動局への下りリンクのデータ送信のために無線リソースを割り当てる。
【００３１】
図２に示すように、基地局２と一つの移動局４の間で新たな通信が発生するときに、基地局２は、この移動局４が基地局２にＣＱＩ報告（チャネル品質インジケータ報告）を行うための無線リソースをこの移動局４に割り当てる。基地局２は、割り当てられた無線リソースを移動局４に通知する。移動局４は、定期的にチャネル品質を測定して、割り当てられた無線リソースを利用してＣＱＩ報告を定期的に基地局２に送信する。
【００３２】
図２には示さないが、基地局２は、移動局４から送信されたＣＱＩに基づいて、各移動局４への下りリンクのデータ送信のために無線リソースを割り当てる。すなわち各移動局４に下りの無線リソースを割り当てる。
【００３３】
図３は、ＣＱＩ報告のために移動局に割り当て可能な無線リソースを示す概略図である。各移動局４からＣＱＩ報告は、例えばPUCCHで基地局２へ送信される。図３に示すように、上りリンクで使用可能な複数の周波数帯のうち、例えば４つの周波数帯（Ａ，Ｂ，Ｃ，Ｄ）がＣＱＩ報告のために確保されている。各周波数帯は１８０kHzの幅を有する。
【００３４】
UMTSにおいては、１０ｍｓの単位時間長を１無線フレーム（radio frame）と呼び、各無線フレームについて基地局２と移動局４は同期をとる。また、１無線フレームの１０分の１である１ｍｓの単位時間長を１サブフレーム（subframe）と呼ぶ。各移動局４は、自身のＣＱＩ報告を１サブフレームを利用して送信する。
【００３５】
本明細書において、移動局４が一回のＣＱＩ報告を送信するために利用する周波数と時刻で特定される無線リソースをリソース単位と呼ぶ。例えば、一つのリソース単位は、１８０kHzの幅を有する周波数帯とサブフレームで特定することができる。図３において、周波数帯とサブフレームで特定される正方形の升目の各々がリソース単位である。但し、どのような単位を一回のＣＱＩ報告を送信するためのリソース単位とするかは通信システムの設計者が任意に決定しうる。以下の説明では、一つのリソース単位が占める周波数帯の幅は１８０kHzであり、一つのリソース単位の時間長は１サブフレーム（１ｍｓ）であるが、リソース単位の周波数帯の幅および時間長はこれに限定されない。
【００３６】
移動局４は、常時、ダイナミックスケジューリング（ＤＳ）のみ適用される移動局（以下、「非ＳＰＳ移動局」と呼ぶ）と、セミパーシステントスケジューリング（ＳＰＳ）のみ適用されるかＳＰＳとＤＳの両方が適用される移動局（以下、「ＳＰＳ移動局」と呼ぶ）に分類される。各移動局は、自身で測定した受信品質に対応するＣＱＩ報告を定期的に送信する。非ＳＰＳ移動局のＣＱＩ報告の送信周期とＳＰＳ移動局のＣＱＩ報告の送信周期は、異なっていてもよい。
【００３７】
以下の説明において、非ＳＰＳ移動局のＣＱＩ報告の送信周期を４０ｍｓ、すなわち４０サブフレームに設定し、ＳＰＳ移動局のＣＱＩ報告の送信周期を１０ｍｓ、すなわち１０サブフレームに設定する。したがって、一つの非ＳＰＳ移動局は、一つの周波数帯で４０ｍｓの周期の複数のリソース単位（リソース単位群）を利用して、ＣＱＩ報告を送信する。例えば、ある非ＳＰＳ移動局は、周波数帯Ａのサブフレーム番号０、４０、８０、１２０、１６０、２００、．．．のリソース単位群を利用してＣＱＩ報告を送信し、他の非ＳＰＳ移動局は、周波数帯Ｂのサブフレーム番号２、４２、８２、１２２、１６２、２０２、．．．のリソース単位群を利用してＣＱＩ報告を送信する。また、一つのＳＰＳ移動局は、一つの周波数帯で１０ｍｓの周期の複数のリソース単位（リソース単位群）を利用して、ＣＱＩ報告を送信する。例えば、あるＳＰＳ移動局は、周波数帯Ｃのサブフレーム番号０、１０、２０、３０、４０、５０、．．．のリソース単位群を利用してＣＱＩ報告を送信し、他の非ＳＰＳ移動局は、周波数帯Ｄのサブフレーム番号２、１２、３２、４２、５２、．．．のリソース単位群を利用してＣＱＩ報告を送信する。以下、ＣＱＩ報告の周期がより短いＳＰＳ移動局を第１の移動局と呼ぶことがあり、ＣＱＩ報告の周期がより長い非ＳＰＳ移動局を第２の移動局と呼ぶことがある。
【００３８】
複数の移動局４からのチャネル品質インジケータ報告にはなるべく同じリソース単位を使用しないように、基地局２が各移動局４からのＣＱＩ報告のためのリソース単位群を割り当てるのが望ましい。しかし、基地局２が多数の移動局４と通信する場合には、複数の移動局４に同じリソース単位群を割り当てざるをえない。この場合、複数の移動局４は異なる巡回シフト符号でＣＱＩ報告を変調し、一つのリソース単位群を共用して、変調されたＣＱＩ報告を基地局２に送信する。基地局２は、受信されたＣＱＩ報告の送信元を、変調された符号によって識別することができる。
【００３９】
つまり、図３に示すように、各サブフレームについて、複数の巡回シフト符号が準備されている。ＣＱＩ報告は、時間によって区別され、周波数帯によっても区別され、巡回シフト符号によっても区別される。
【００４０】
図４Ａは、各リソース単位において、ＣＱＩ報告のために移動局に割り当て可能な巡回シフト符号の例を示す図である。図において、巡回シフト符号に付された０〜１１の番号は、巡回シフト符号の巡回生成順序を示すインデックス番号である。図４Ａの例では、各リソース単位において、１２個の巡回シフト符号のすべてがＣＱＩ報告のために利用可能である。
【００４１】
図４Ｂは、各リソース単位において、ＣＱＩ報告のために移動局に割り当て可能な巡回シフト符号の他の例を示す図である。図４Ｂの例では、各リソース単位において、１２個の巡回シフト符号のうち６個がＣＱＩ報告のために利用可能である。
【００４２】
図４Ｃは、各リソース単位において、ＣＱＩ報告のために移動局に割り当て可能な巡回シフト符号の他の例を示す図である。図４Ｃの例では、各リソース単位において、１２個の巡回シフト符号のうち４個がＣＱＩ報告のために利用可能である。
【００４３】
巡回シフト符号の性質上、近いインデックス番号を持つ巡回シフト符号は類似し、ある巡回シフト符号の遅延波がこれに近いインデックス番号を持つ巡回シフト符号に干渉することがある。そこで、図４Ｂおよび図４Ｃに示すように、利用可能な巡回シフト符号を制限することがある。利用可能な二つの隣り合う巡回シフト符号の間にある、利用不可能な巡回シフト符号の数をＣＳガード数と呼ぶ。図４Ａの例ではＣＳガード数はゼロ、図４Ｂの例ではＣＳガード数は１、図４Ｃの例ではＣＳガード数は２である。
【００４４】
図４Ａ〜図４Ｃのいずれの方式を用いるのかは、例えば通信システムを利用するユーザの数、およびその他の要因に基づいて、通信システムの設計者が任意に決定しうる。また、図４Ａ〜図４Ｃは例示の目的で各リソース単位で準備される巡回シフト符号の数、および利用可能な巡回シフト符号を示しているのであって、各リソース単位で準備される巡回シフト符号の数は任意であり、利用可能な巡回シフト符号は他の法則で定めてもよい。
【００４５】
また、この通信システムにおいて、同じリソース単位において移動局に巡回シフト符号を割り当てるための優先順位があらかじめ設定されている。この所定の優先順位では、巡回シフト符号のインデックス番号がそれらの巡回生成順序と同順序でも逆順序でもなく並べられている。図４Ａの例では、優先順位は0、4、8、2、6、10、1、5、9、3、7、11であり、図４Ｂの例では、優先順位は0、4、8、2、6、10であり、図４Ｃの例では、優先順位は0、6、3、9である。例えば、図４Ａ〜図４Ｃの例で、インデックス番号0は後続するすべての番号に優先する。本明細書において、「優先順位」は巡回的な優先順位である。すなわち、図４Ａの例で、インデックス番号7を持つ巡回シフト符号が移動局に割り当てられない状況では、次の優先順位を持つのは、インデックス番号0を持つ巡回シフト符号である。
【００４６】
移動局に割り当てられる巡回シフト符号の優先順位は、それらの巡回生成順序と同順序でも逆順序でもなく並べられているため、巡回生成順序が近い巡回シフト符号が二つの移動局に割り当てられるおそれが少ない。このため、ある移動局からのある巡回符号を用いたチャネル品質インジケータ報告の遅延波が、他の移動局からの他の巡回符号を用いたチャネル品質インジケータ報告に干渉するおそれが少ない。図４Ａ〜図４Ｃは例示の目的で優先順位を示しているのであって、複数の巡回シフト符号がそれらの巡回生成順序と同順序でも逆順序でもなく並べられた他の優先順位を使用してもよい。
【００４７】
基地局２と一つの移動局４の間で通信が終了または断絶するとき、当該移動局４から基地局２へのＣＱＩ報告に割り当てられていた無線リソースは解放される。この手順を図５に示す情報フローダイアグラムを参照して説明する。
【００４８】
図５に示すように、基地局２と移動局４のデータ通信の間、上りリンクにおける移動局４の送信タイミングを調整するために基地局２は移動局４にTA Command（タイミング調整コマンド）を定期的に（例えば200 msecの周期で）送信し、TA Commandを受信した移動局４は基地局２にTA Command Ack（タイミング調整コマンド受信確認）を送信する。基地局２は、TA Command Ackを最後に受信してから、一定の期間（例えば750 msec）、新しいTA Command Ackを受信しなければ、その移動局４からのＣＱＩ報告に割り当てられていた無線リソース（周波数帯と周期的なサブフレーム群で特定されるリソース単位群と、巡回シフト符号で特定される）を解放する。解放された巡回シフト符号は、そのリソース単位群を使用してＣＱＩ報告を送信しようとする他の移動局に割り当てすることが可能である。他方、移動局４は、TA Commandを最後に受信してから、一定の期間（例えば750 msec）、新しいTA Commandを受信しなければ、その移動局４からのＣＱＩ報告に割り当てられていた無線リソース（周波数帯と周期的なサブフレーム群で特定されるリソース単位群と、巡回シフト符号で特定される）を解放する。
【００４９】
上述した通り、基地局２と移動局４の間の無線環境によっては、移動局４が下りリンクのTA Commandを受信できても、基地局２が上りリンクのTA Command Ackを受信できないことがある。この場合には、基地局２が移動局４よりもかなり先に無線リソースを解放する。
【００５０】
第１の実施の形態
図６は、本発明の第１の実施の形態に係る無線リソースの管理装置を示すブロック図である。この実施の形態において無線リソースの管理装置は、基地局２である。但し、無線リソースの管理装置は、基地局２と通信可能な他のネットワーク装置であってもよい。
【００５１】
図６に示すように、基地局２は、受信アンテナ１０、無線受信部１２、受信信号処理部１４、ＣＱＩ報告解析部１６、リソース割り当て部１８、送信信号処理部２０、無線送信部２２、送信アンテナ２４、新規通信検出部２６、ＣＱＩ報告リソース割り当て部２８、通信終了・断絶検出部３０、ＣＱＩ報告リソース解放部３２、移動局分類部３４、直近割り当て巡回シフト符号管理部３５、およびメモリ３６を備える。
【００５２】
受信アンテナ１０は移動局４からの電波を受信する。無線受信部１２は受信アンテナ１０で受信した電波を電気信号に変換するための受信回路である。無線送信部２２は、電気信号を電波に変換するための送信回路である。送信アンテナ２４は無線送信部２２で変換された電波を移動局４へ送信する。
【００５３】
受信信号処理部１４、ＣＱＩ報告解析部１６、リソース割り当て部１８、送信信号処理部２０、新規通信検出部２６、ＣＱＩ報告リソース割り当て部２８、通信終了・断絶検出部３０、ＣＱＩ報告リソース解放部３２、移動局分類部３４、および直近割り当て巡回シフト符号管理部３５は、基地局２の図示しないＣＰＵ（central processing unit）がコンピュータプログラムを実行し、そのコンピュータプログラムに従って機能することによって実現される機能ブロックである。
【００５４】
受信信号処理部１４は、無線受信部１２からの電気信号を処理する。ＣＱＩ報告解析部１６は、受信信号処理部１４で処理されたＣＱＩ報告を解析し、ＣＱＩ報告の送信元である移動局４とＣＱＩ報告に記述された移動局４の受信品質を特定する。リソース割り当て部１８は、ＣＱＩ報告解析部１６の解析結果に基づいて、下りリンクの無線リソースを各移動局４へ割り当てる。リソース割り当て部１８で割り当てられる無線リソースは、下りリンクのデータ通信のための無線リソースである。リソース割り当て部１８は、リソース割り当て部１８による無線リソース割り当てに従って送信信号処理部２０が下りデータ通信を行うように送信信号処理部２０を制御する。
【００５５】
新規通信検出部２６は、受信信号処理部１４で処理された信号により、この基地局２のセルに位置する移動局４からの通信要求があったことを検出する。また、新規通信検出部２６は、他のネットワーク装置からこの基地局２のセルに位置する移動局４への通信要求があったことを検出する。
【００５６】
ＣＱＩ報告リソース割り当て部（リソース単位群指定部、巡回シフト符号割り当て部）２８は、新規通信検出部２６が新規な通信要求を検出したとき（基地局２と一つの移動局４の間で新たな通信が発生するとき）、当該移動局４がＣＱＩ報告を定期的に送信することが可能になるように、ＣＱＩ報告のための上りリンクの無線リソースを当該移動局４に割り当てる。より具体的には、ＣＱＩ報告リソース割り当て部は、まずリソース単位群指定部として機能し、ある周波数帯で一定周期を有する上りリンクのリソース単位群を、当該移動局４のＣＱＩ報告のためのリソース単位群として新たに指定する。次に、ＣＱＩ報告リソース割り当て部は、巡回シフト符号割り当て部として機能し、指定されたリソース単位群について、上記の所定の優先順位に従って、一つの巡回シフト符号を、当該移動局４から基地局２へのＣＱＩ報告のために新たに割り当てる。ＣＱＩ報告リソース割り当て部２８による上りリンクの無線リソースの割り当ては、さらに詳細に後述する。
【００５７】
ＣＱＩ報告リソース割り当て部２８は、ＣＱＩ報告リソース割り当て部２８で割り当てられたＣＱＩ報告のための上りリンクの無線リソース（周波数帯と周期的なサブフレーム群で特定されるリソース単位群と、巡回シフト符号の組合せ）を、対応する当該移動局に通知するために、送信信号処理部２０に通知する。送信信号処理部２０は、無線リソースを示す情報を当該移動局宛ての送信信号に含める。
【００５８】
また、ＣＱＩ報告リソース割り当て部２８は、ＣＱＩ報告リソース割り当て部２８で割り当てられたＣＱＩ報告のための上りリンクの無線リソース（周波数帯と周期的なサブフレーム群で特定されるリソース単位群と、巡回シフト符号の組合せ）と、対応する当該移動局の組合せをメモリ（使用済み巡回シフト符号記憶部）３６の符号使用管理テーブル（図７参照）に記憶する。ＣＱＩ報告リソース割り当て部２８は、移動局への無線リソースの割り当てのたびに、メモリ３６への記憶を繰り返す。この結果、ＣＱＩ報告リソース割り当て部２８は、ＣＱＩ報告リソース割り当て部２８でＣＱＩ報告のために割り当てられた複数の使用済みの巡回シフト符号を、ＣＱＩ報告のために指定されたリソース単位群について、当該巡回シフト符号が割り当てられた移動局と対応付けて、メモリ３６に記憶する。
【００５９】
図７は、基地局２で管理されメモリ３６に記憶される符号使用管理テーブルの内容の例を示す図である。ＣＱＩ報告リソース割り当て部２８による移動局へのＣＱＩ報告のための無線リソースの割り当てのたびに、符号使用管理テーブルには、割り当てられた無線リソース（周波数帯、周期的なサブフレーム群、巡回シフト符号）と、対応する当該移動局が記録される。どの移動局にも使用されていない無線リソースについては、非使用を示す情報が記録されている。この符号使用管理テーブルには、周波数帯Ａ，Ｂ，Ｃ，Ｄの各々につき、＃０〜＃３９の４０個のサブフレームに関する記録が設けられている。これは、長い方のＣＱＩ報告の送信周期（非ＳＰＳ移動局のＣＱＩ報告の送信周期）である４０サブフレームに合わせてある。例えば、移動局がサブフレーム番号０、４０、８０、１２０、１６０、２００、．．．のリソース単位群を利用してＣＱＩ報告を送信するのであれば、サブフレーム番号０の記録だけ書き込めばよい。換言すれば、図７に示されたサブフレーム番号（例えば０）は、そのサブフレーム番号で開始する周期が４０サブフレームのリソース単位群（サブフレーム番号０、４０、８０、１２０、１６０、２００、．．．）を示す。ある周波数帯のサブフレーム番号の各々につき、インデックス番号０〜１１の１２個の巡回シフト符号に関する記録が設けられている。
【００６０】
ＣＱＩ報告の送信周期が１０サブフレームであるＳＰＳ移動局については、同一の周波数帯で１０サブフレームの間隔をおいて、同一の符号が同じ移動局で使用されていることを示すように、ＣＱＩ報告リソース割り当て部２８は符号使用管理テーブルに書き込む。例えば、図７に示すように、移動局ＡＡ（ＳＰＳ移動局）は、周波数帯Ａでサブフレーム＃０、＃１０、＃２０、＃３０で同じ巡回シフト符号０を使用することが符号使用管理テーブルに記録される。
【００６１】
通信終了・断絶検出部３０は、移動局４との既存の通信の終了または断絶を検出する。より具体的には、通信終了・断絶検出部３０は、受信信号処理部１４で処理された信号のうちTA Command Ackを認識する。通信終了・断絶検出部３０は、TA Commandを最後に受信してから、一定の期間、新しいTA Commandを受信しなければ、既存の通信の終了または断絶と判断し、通信が終了または断絶した移動局を特定する（図５参照）。
【００６２】
通信終了・断絶検出部３０で既存の通信の終了または断絶が検出されると、ＣＱＩ報告リソース解放部（巡回シフト符号解放部）３２は、通信が終了または断絶した移動局から基地局２へのＣＱＩ報告に割り当てられていた無線リソース（周波数帯と周期的なサブフレーム群で特定されるリソース単位群と、巡回シフト符号の組合せ）を解放する。このようにして、ＣＱＩ報告リソース解放部３２は、基地局２と一つの移動局の間で通信が終了または断絶するとき、当該移動局から基地局２へのＣＱＩ報告に割り当てられていた巡回シフト符号を解放する。
【００６３】
また、ＣＱＩ報告リソース解放部３２は、解放された無線無線リソース（周波数帯と周期的なサブフレーム群で特定されるリソース単位群と、巡回シフト符号の組合せ）について、メモリ（使用済み巡回シフト符号記憶部）３６の符号使用管理テーブル（図７参照）の記録を、非使用を示す情報にリセットする。
【００６４】
移動局分類部３４は、ＣＱＩ報告リソース割り当て部２８で移動局にＣＱＩ報告のための上りリンクの無線リソース（周波数帯と周期的なサブフレーム群で特定されるリソース単位群と、巡回シフト符号の組合せ）が割り当てられると、当該移動局を複数の移動局群のいずれかに分類する。移動局分類部３４は、移動局への無線リソースの割り当てのたびに、分類を繰り返す。この結果、移動局分類部３４は、基地局２が通信する複数の移動局を、複数の移動局群に分類することになる。移動局分類部３４は分類を行うたびに分類結果をメモリ３６に記録する。
【００６５】
分類の手法は、定期的に同じリソース単位群（但し異なる巡回シフト符号）を利用してＣＱＩ報告を基地局２に送信する複数のＳＰＳ移動局（第１の移動局）と、これらのＳＰＳ移動局と部分的に同じリソース単位群を利用してＣＱＩ報告を基地局２に定期的に送信する複数の非ＳＰＳ移動局（第２の移動局）とが一つの移動局群に属するようにするものである。
【００６６】
例えば、周波数帯Ａのサブフレーム番号０、１０、２０、３０、４０、５０、．．．のリソース単位群（図７ではサブフレーム番号＃０、＃１０、＃２０、＃３０で表される）を利用してＣＱＩ報告を送信するＳＰＳ移動局は、一つの移動局群＃１に分類される。また、例えば、周波数帯Ａのサブフレーム番号０、４０、８０、１２０、１６０、２００、．．．のリソース単位群（図７ではサブフレーム番号＃０で表される）を利用してＣＱＩ報告を送信する非ＳＰＳ移動局も同一の移動局群＃１に分類される。これらのＳＰＳ移動局と非ＳＰＳ移動局は、部分的に同じリソース群０、４０、８０、．．．を利用してＣＱＩ報告を基地局２に送信するからである。さらに、周波数帯Ａのサブフレーム番号１０、５０、９０、１３０、１７０、２１０、．．．のリソース単位群を利用してＣＱＩ報告を送信する非ＳＰＳ移動局も同一の移動局群＃１に分類される。さらに、周波数帯Ａのサブフレーム番号２０、６０、１００、１４０、１８０、２２０、．．．のリソース単位群を利用してＣＱＩ報告を送信する非ＳＰＳ移動局も同一の移動局群＃１に分類される。さらに、周波数帯Ａのサブフレーム番号３０、７０、１１０、１５０、１９０、２２０、．．．のリソース単位群を利用してＣＱＩ報告を送信する非ＳＰＳ移動局も同一の移動局群＃１に分類される。
【００６７】
同様に、周波数帯Ａのサブフレーム番号１、１１、２１、３１、４１、５１、．．．のリソース単位群を利用してＣＱＩ報告を送信するＳＰＳ移動局は、一つの移動局群＃２に分類される。また、例えば、周波数帯Ａのサブフレーム番号１、４１、８１、１２１、１６１、２０１、．．．のリソース単位群を利用してＣＱＩ報告を送信する非ＳＰＳ移動局も同一の移動局群＃２に分類される。これらのＳＰＳ移動局と非ＳＰＳ移動局は、部分的に同じリソース群１、４１、８１、．．．を利用してＣＱＩ報告を基地局２に送信するからである。さらに、周波数帯Ａのサブフレーム番号１１、５１、９１、１３１、１７１、２１１、．．．のリソース単位群を利用してＣＱＩ報告を送信する非ＳＰＳ移動局も同一の移動局群＃２に分類される。さらに、周波数帯Ａのサブフレーム番号２１、６１、１０１、１４１、１８１、２２１、．．．のリソース単位群を利用してＣＱＩ報告を送信する非ＳＰＳ移動局も同一の移動局群＃２に分類される。さらに、周波数帯Ａのサブフレーム番号３１、７１、１１１、１５１、１９１、２２１、．．．のリソース単位群を利用してＣＱＩ報告を送信する非ＳＰＳ移動局も同一の移動局群＃２に分類される。
【００６８】
同様に、周波数帯Ａのサブフレーム番号９、１９、２９、３９、４９、５９、．．．のリソース単位群を利用してＣＱＩ報告を送信するＳＰＳ移動局は、一つの移動局群＃１０に分類される。また、例えば、周波数帯Ａのサブフレーム番号９、４９、８９、１２９、１６９、２０９、．．．のリソース単位群を利用してＣＱＩ報告を送信する非ＳＰＳ移動局も同一の移動局群＃１０に分類される。これらのＳＰＳ移動局と非ＳＰＳ移動局は、部分的に同じリソース群９、４９、８９、．．．を利用してＣＱＩ報告を基地局２に送信するからである。さらに、周波数帯Ａのサブフレーム番号１９、５９、９９、１３９、１７９、２１９、．．．のリソース単位群を利用してＣＱＩ報告を送信する非ＳＰＳ移動局も同一の移動局群＃１０に分類される。さらに、周波数帯Ａのサブフレーム番号２９、６９、１０９、１４９、１８９、２２９、．．．のリソース単位群を利用してＣＱＩ報告を送信する非ＳＰＳ移動局も同一の移動局群＃１０に分類される。さらに、周波数帯Ａのサブフレーム番号３９、７９、１１９、１５９、１９９、２２９、．．．のリソース単位群を利用してＣＱＩ報告を送信する非ＳＰＳ移動局も同一の移動局群＃１０に分類される。
【００６９】
非ＳＰＳ移動局のＣＱＩ報告の送信周期をＴＡ、ＳＰＳ移動局のＣＱＩ報告の送信周期をＴＢ、リソース単位の時間長をＬＲとすると、一つの周波数帯あたりの移動局群の数βはＴＡ／ＬＲとＴＢ／ＬＲの最小公約数である。この実施の形態では、ＴＡ＝４０ｍｓ、ＴＢ＝１０ｍｓ、ＬＲ＝１ｍｓであり、一つの周波数帯あたりの移動局群の数βは１０である。４つの周波数帯Ａ，Ｂ，Ｃ，ＤがＣＱＩ報告のために確保されているので、システム全体での移動局群の総数は４β、つまり４０である。
【００７０】
直近割り当て巡回シフト符号管理部３５は、ＣＱＩ報告リソース割り当て部２８で直近に割り当てられた巡回シフト符号（直近割り当て巡回シフト符号）をメモリ（直近割り当て巡回シフト符号記憶部）３６の直近割り当て管理テーブル（図８参照）に記憶する。図８は、基地局２で管理されメモリ３６に記憶される直近割り当て管理テーブルの内容の例を示す図である。図８において、群１〜１０は移動局分類部３４で分類される上記の移動局群を示し、０〜１１の数字は巡回シフト符号のインデックス番号を示す。ハッチングは、その周波数およびその移動局群について、ＣＱＩ報告リソース割り当て部２８で直近に割り当てられた巡回シフト符号を示す。図８では、視覚的に理解が容易なように、直近に割り当てられた巡回シフト符号がハッチングで示されているが、実際の直近割り当て管理テーブルでは、その周波数およびその移動局群について直近に割り当てられた巡回シフト符号のインデックス番号だけが記憶されている。
【００７１】
ＣＱＩ報告リソース割り当て部２８による移動局へのＣＱＩ報告のための無線リソースの割り当てのたびに、直近割り当て管理テーブルは、直近割り当て巡回シフト符号管理部３５により更新される。より具体的には、ＣＱＩ報告リソース割り当て部２８によって移動局へのＣＱＩ報告のための無線リソースが割り当てられると、直近割り当て巡回シフト符号管理部３５は、ＣＱＩ報告リソース割り当て部２８で直近に割り当てられた直近割り当て巡回シフト符号を、ＣＱＩ報告リソース割り当て部２８で無線リソースが直近に割り当てられた移動局と同じリソース単位群を利用する同じ移動局群に属するすべての移動局（非ＳＰＳ移動局とＳＰＳ移動局を含む）に共通の直近割り当て巡回シフト符号として、直近割り当て管理テーブルに記憶する。例えば、ＣＱＩ報告リソース割り当て部２８が、ある移動局に周波数帯Ａ、サブフレーム番号０を指定し、インデックス番号４の巡回シフト符号を割り当てたと想定する。移動局分類部３４は、その移動局を上記の通り移動局群＃１に分類する。そして、直近割り当て巡回シフト符号管理部３５は、インデックス番号４の巡回シフト符号を、周波数帯Ａ、移動局群＃１の移動局に共通する直近割り当て巡回シフト符号として、直近割り当て管理テーブルに記憶する。
【００７２】
次に、ＣＱＩ報告リソース割り当て部２８による上りリンクの無線リソースの割り当てをさらに詳細に説明する。まずＣＱＩ報告の送信周期がより短いＳＰＳ移動局（第１の移動局）への無線リソースの割り当てを説明する。
【００７３】
新規通信検出部２６がＳＰＳ移動局に関する新規な通信要求を検出したとき、ＣＱＩ報告リソース割り当て部（リソース単位群指定部）２８は、メモリ３６の符号使用管理テーブル（図７参照）を参照し、巡回シフト符号の使用率が最も低く、かつ好適順位が最も高いリソース単位群を、当該ＳＰＳ移動局のＣＱＩ報告のために選択すなわち指定する。巡回シフト符号の使用率は、各リソース単位において、ＣＱＩ報告のために割り当て可能な巡回シフト符号の総数（図４Ａの例では１２）に対する現在使用されている巡回シフト符号の数の比である。ＳＰＳ移動局のＣＱＩ報告の送信周期は１０サブフレームであるので、リソース単位群の選択においては、ＣＱＩ報告リソース割り当て部２８は、符号使用管理テーブルでの４つのサブフレーム（例えばサブフレーム＃０、＃１０、＃２０、＃３０）からなる各群の巡回シフト符号の使用率を計算する。ＣＱＩ報告のために割り当て可能な巡回シフト符号の総数は一定であるので、「巡回シフト符号の使用率が最も低い」とは、他の移動局からのＣＱＩ報告に使用済みの巡回シフト符号の数が最も少ないことと等価である。したがって、ＣＱＩ報告リソース割り当て部２８は、各群で使用されている巡回シフト符号の数を得てもよい。リソース単位の「好適順位」は次のように決まっている。各周波数帯においては、サブフレーム番号が小さいほど好適順位は高い。また、周波数帯Ａの好適順位は周波数帯Ｂの好適順位より高く、周波数帯Ｂの好適順位は周波数帯Ｃの好適順位より高く、周波数帯Ｃの好適順位は周波数帯Ｄの好適順位より高い。
【００７４】
基地局２の設置後、初めて移動局と通信する場合には、すべてのリソース単位においてすべての巡回シフト符号が非使用である。基地局２の再起動後、初めて移動局と通信する場合も同様である。この場合には、好適順位が最も高い周波数帯Ａのサブフレーム＃０、＃１０、＃２０、＃３０で開始する周期が１０サブフレームのリソース単位群を、ＣＱＩ報告リソース割り当て部２８（リソース単位群指定部）は、当該ＳＰＳ移動局のＣＱＩ報告のために選択すなわち指定する。
【００７５】
このようにしてある周波数帯で一定周期を有する上りリンクのリソース単位群をＳＰＳ移動局のＣＱＩ報告のためのリソース単位群として指定した後、ＣＱＩ報告リソース割り当て部（巡回シフト符号割り当て部）２８は、指定されたリソース単位群について、上記の所定の優先順位に従って、一つの巡回シフト符号を、当該ＳＰＳ移動局から基地局２へのＣＱＩ報告のために割り当てる。より具体的には、ＣＱＩ報告リソース割り当て部２８は、直近割り当て管理テーブル（図８)と符号使用管理テーブル（図７)を参照して、巡回シフト符号を新たに割り当てようとするＳＰＳ移動局が属することになる移動局群に共通する共通の直近割り当て巡回シフト符号より低い優先順位を持ち、この移動局群に属する他の移動局からのＣＱＩ報告で使用されておらず、かつ最も高い優先順位を持つ巡回シフト符号を、基地局２と当該ＳＰＳ移動局の間で新たに発生した通信のために当該ＳＰＳ移動局から基地局２へのＣＱＩ報告に新たに割り当てる。
【００７６】
図９を参照して、巡回シフト符号の割り当てをより詳細に説明する。ＣＱＩ報告リソース割り当て部２８は、周波数帯Ａのサブフレーム＃０、＃１０、＃２０、＃３０で開始する周期が１０サブフレームのリソース単位群を当該ＳＰＳ移動局のＣＱＩ報告のために指定したと想定する。ＳＰＳ移動局が属することになる移動局群は移動局群＃１であり、周波数帯Ａの移動局群＃１に共通する共通の直近割り当て巡回シフト符号は、インデックス番号４を持つと想定する。図９の例では、図４Ａの例と同様に、各リソース単位において、１２個の巡回シフト符号のすべてがＣＱＩ報告のために利用可能である。しかし、図９に示すように、サブフレーム＃０、＃１０、＃２０、＃３０の各々では、いくつかの巡回シフト符号が他の移動局からのＣＱＩ報告で使用されている。すなわち、いくつかの巡回シフト符号が移動局群＃１に属する他の移動局からのＣＱＩ報告で使用されている。
【００７７】
図４Ａを参照して上述したように、１２個の巡回シフト符号のすべてがＣＱＩ報告のために利用可能である例では、優先順位は0、4、8、2、6、10、1、5、9、3、7、11である。移動局群＃１に共通する共通の直近割り当て巡回シフト符号のインデックス番号は４であるので、次の優先順位の８に着目する。しかし、インデックス番号８の巡回シフト符号はサブフレーム＃０、＃２０、＃３０で他の移動局に使用されているので、次の優先順位の２に着目する。しかし、インデックス番号２の巡回シフト符号はサブフレーム＃０、＃１０、＃２０、＃３０で他の移動局に使用されているので、次の優先順位の６に着目する。しかし、インデックス番号６の巡回シフト符号はサブフレーム＃０、＃１０、＃２０、＃３０で他の移動局に使用されているので、次の優先順位の１０に着目する。しかし、インデックス番号１０の巡回シフト符号はサブフレーム＃０、＃３０で他の移動局に使用されているので、次の巡回的な優先順位の１に着目する。このようにして、インデックス番号４の直近割り当て巡回シフト符号より低い優先順位を持ち、この移動局群＃１に属する他の移動局からのＣＱＩ報告で使用されておらず、かつ最も高い優先順位を持つ巡回シフト符号は、インデックス番号７の巡回シフト符号であることが判断される。ＣＱＩ報告リソース割り当て部２８は、インデックス番号７の巡回シフト符号を、新たに通信しようとするＳＰＳ移動局に割り当てる。
【００７８】
巡回シフト符号を新たに割り当てようとするＳＰＳ移動局が属することになる移動局群に属する他の移動局からのＣＱＩ報告で使用されている巡回シフト符号がない場合には、この移動局群に共通する共通の直近割り当て巡回シフト符号もない。このような場合には、優先順位が最も高い巡回シフト符号、すなわちインデックス番号０を持つ巡回シフト符号を、ＣＱＩ報告リソース割り当て部２８は当該ＳＰＳ移動局に割り当てる。例えば、基地局２の設置または基地局２の再起動後、初めて移動局と通信する場合、このような事象が起こりうる。
【００７９】
次にＣＱＩ報告の送信周期がより長い非ＳＰＳ移動局（第２の移動局）への無線リソースの割り当てを説明する。新規通信検出部２６が非ＳＰＳ移動局に関する新規な通信要求を検出したとき、ＣＱＩ報告リソース割り当て部（リソース単位群指定部）２８は、メモリ３６の符号使用管理テーブル（図７参照）を参照し、巡回シフト符号の使用率が最も低く、かつ好適順位が最も高いリソース単位群を、当該非ＳＰＳ移動局のＣＱＩ報告のために選択すなわち指定する。非ＳＰＳ移動局のＣＱＩ報告の送信周期は４０サブフレームであるので、リソース単位群の選択においては、ＣＱＩ報告リソース割り当て部２８は、符号使用管理テーブルでの各サブフレーム（例えばサブフレーム＃０）の巡回シフト符号の使用率を計算する。ＣＱＩ報告のために割り当て可能な巡回シフト符号の総数は一定であるので、「巡回シフト符号の使用率が最も低い」とは、他の移動局からのＣＱＩ報告に使用済みの巡回シフト符号の数が最も少ないことと等価である。したがって、ＣＱＩ報告リソース割り当て部２８は、各サブフレームで使用されている巡回シフト符号の数を得てもよい。
【００８０】
基地局２の設置後、初めて移動局と通信する場合には、すべてのリソース単位においてすべての巡回シフト符号が非使用である。基地局２の再起動後、初めて移動局と通信する場合も同様である。この場合には、好適順位が最も高い周波数帯Ａのサブフレーム＃０で開始する周期が４０サブフレームのリソース単位群を、ＣＱＩ報告リソース割り当て部２８（リソース単位群指定部）は、当該非ＳＰＳ移動局のＣＱＩ報告のために選択すなわち指定する。
【００８１】
このようにしてある周波数帯で一定周期を有する上りリンクのリソース単位群を非ＳＰＳ移動局のＣＱＩ報告のためのリソース単位群として指定した後、ＣＱＩ報告リソース割り当て部（巡回シフト符号割り当て部）２８は、指定されたリソース単位群について、上記の所定の優先順位に従って、一つの巡回シフト符号を、当該非ＳＰＳ移動局から基地局２へのＣＱＩ報告のために割り当てる。より具体的には、ＣＱＩ報告リソース割り当て部２８は、直近割り当て管理テーブル（図８)と符号使用管理テーブル（図７)を参照して、巡回シフト符号を新たに割り当てようとする非ＳＰＳ移動局が属することになる移動局群に共通する共通の直近割り当て巡回シフト符号より低い優先順位を持ち、ＣＱＩ報告リソース割り当て部２８で選択されたリソース単位群において他の移動局からのＣＱＩ報告で使用されておらず、かつ最も高い優先順位を持つ巡回シフト符号を、基地局２と当該非ＳＰＳ移動局の間で新たに発生した通信のために当該非ＳＰＳ移動局から基地局２へのＣＱＩ報告に新たに割り当てる。
【００８２】
図９を参照して、巡回シフト符号の割り当てをより詳細に説明する。ＣＱＩ報告リソース割り当て部２８は、周波数帯Ａのサブフレーム＃１０で開始する周期が４０サブフレームのリソース単位群を当該非ＳＰＳ移動局のＣＱＩ報告のために指定したと想定する。非ＳＰＳ移動局が属することになる移動局群は移動局群＃１であり、周波数帯Ａの移動局群＃１に共通する共通の直近割り当て巡回シフト符号は、インデックス番号４を持つと想定する。図９の例では、図４Ａの例と同様に、各リソース単位において、１２個の巡回シフト符号のすべてがＣＱＩ報告のために利用可能である。しかし、図９に示すように、サブフレーム＃１０では、いくつかの巡回シフト符号が他の移動局からのＣＱＩ報告で使用されている。すなわち、ＣＱＩ報告リソース割り当て部２８で選択されたサブフレーム＃１０で開始する周期が４０サブフレームのリソース単位群において、いくつかの巡回シフト符号が他の移動局からのＣＱＩ報告で使用されている。
【００８３】
図４Ａを参照して上述したように、１２個の巡回シフト符号のすべてがＣＱＩ報告のために利用可能である例では、優先順位は0、4、8、2、6、10、1、5、9、3、7、11である。移動局群＃１に共通する共通の直近割り当て巡回シフト符号のインデックス番号は４であるので、次の優先順位の８に着目する。インデックス番号８の巡回シフト符号はサブフレーム＃１０で他の移動局に使用されていない。このようにして、インデックス番号４の直近割り当て巡回シフト符号より低い優先順位を持ち、ＣＱＩ報告リソース割り当て部２８で選択されたサブフレーム＃１０で開始する周期が４０サブフレームのリソース単位群において他の移動局からのＣＱＩ報告で使用されておらず、かつ最も高い優先順位を持つ巡回シフト符号は、インデックス番号８の巡回シフト符号であることが判断される。ＣＱＩ報告リソース割り当て部２８は、インデックス番号８の巡回シフト符号を、新たに通信しようとする非ＳＰＳ移動局に割り当てる。
【００８４】
巡回シフト符号を新たに割り当てようとする非ＳＰＳ移動局が属することになる移動局群に属する他の移動局からのＣＱＩ報告で使用されている巡回シフト符号がない場合には、この移動局群に共通する共通の直近割り当て巡回シフト符号もない。このような場合には、優先順位が最も高い巡回シフト符号、すなわちインデックス番号０を持つ巡回シフト符号を、ＣＱＩ報告リソース割り当て部２８は当該非ＳＰＳ移動局に割り当てる。例えば、基地局２の設置または基地局２の再起動後、初めて移動局と通信する場合、このような事象が起こりうる。
【００８５】
この無線リソースの管理方法では、基地局と一つの移動局の間で新たな通信が発生するときに、複数の巡回シフト符号がそれらの巡回生成順序と同順序でも逆順序でもなく並べられた所定の優先順位に従って、一つの巡回シフト符号を、当該移動局から基地局へのＣＱＩ報告に新たに割り当てる。ＣＱＩ報告リソース割り当て部２８は、指定されたリソース単位群において他の移動局からのＣＱＩ報告で使用されていない巡回シフト符号を、基地局と移動局の間で新たに発生した通信のために当該移動局から基地局へのＣＱＩ報告に新たに割り当てるので、他の移動局からのＣＱＩ報告で現在使用中の巡回シフト符号を、新規な通信に割り当てることを避けることができる。また、ＣＱＩ報告リソース割り当て部２８は、他の移動局からのＣＱＩ報告のために直近に割り当てられた直近割り当て巡回シフト符号より低い優先順位を持ち、指定されたリソース単位群において他の移動局からのＣＱＩ報告で使用されておらず、かつ最も高い優先順位を持つ巡回シフト符号を、基地局と移動局の間で新たに発生した通信のために当該移動局から基地局へのＣＱＩ報告に新たに割り当てる。巡回シフト符号を移動局に割り当てるたびに、このような動作が行われるため、そのリソース単位群において、かなり以前に解放された巡回シフト符号を新たに発生した通信のために割り当てることができる。ＣＱＩ報告のためには、多数のリソース単位群が利用可能であり、これらのリソース単位群の各々において複数の巡回シフト符号が利用可能である。各移動局の通常のリソース保持時間は、多数の移動局への巡回シフト符号の割り当てが一巡するまでに要する通常の時間よりも非常に小さいと予測される。このため、一つのリソース単位群において、かなり以前に解放された巡回シフト符号が、基地局が解放した直後のＣＱＩ報告のための巡回シフト符号と一致する可能性は極めて低い。
さらにまた、直近割り当て巡回シフト符号が偶然解放されて符号使用管理テーブル上で非使用を示すように書き換えられても、直近割り当て管理テーブルにはその直近割り当て巡回シフト符号が記録されたまま残っている。したがって、新たに基地局と通信しようとする移動局に、基地局が解放した直後のＣＱＩ報告のための巡回シフト符号を割り当てるおそれは少ない。また、移動局に割り当てられる巡回シフト符号の優先順位は、それらの巡回生成順序と同順序でも逆順序でもなく並べられているため、巡回生成順序が近い巡回シフト符号が二つの移動局に割り当てられるおそれが少ない。このため、ある移動局からのある巡回符号を用いたＣＱＩ報告の遅延波が、他の移動局からの他の巡回符号を用いたＣＱＩ報告に干渉するおそれが少ない。
【００８６】
メモリ３６の直近割り当て管理テーブルには、定期的に同じリソース単位群を共用するであろう複数の移動局からなる移動局群に共通の直近割り当て巡回シフト符号が記憶され、移動局に巡回シフト符号を新たに割り当てる場合に、ＣＱＩ報告リソース割り当て部２８は、その移動局が属することになる移動局群に共通する共通の直近割り当て巡回シフト符号より低い優先順位を持つ巡回シフト符号をその移動局に割り当てる。このように、定期的に同じリソース単位群を共用するであろう複数の移動局群に共通の直近割り当て巡回シフト符号を管理することで、各移動局群に属する複数の移動局に同一の巡回シフト符号が割り当てられることを防止することができる。
【００８７】
基地局と一つの非ＳＰＳ移動局の間で新たな通信が発生するときに、ＣＱＩ報告リソース割り当て部２８は、非ＳＰＳ移動局からのＣＱＩ報告に割り当て可能な上りリンクの複数のリソース単位群のうち、他の移動局からのＣＱＩ報告に使用済みの巡回シフト符号の数が最も少ないリソース単位群を選択する。これにより、ＣＱＩ報告の送信周期がより長い非ＳＰＳ移動局に、干渉のおそれが少ないリソース単位を指定することができる。送信周期が長いことは、一旦受信側で受信に失敗すると、次に受信成功するまでの期間が長いことを意味する。干渉のおそれが少ないリソース単位を非ＳＰＳ移動局に指定することにより、送信周期が長い非ＳＰＳ移動局から基地局がチャネル品質インジケータ報告を受信成功する確実性が高まる。
【００８８】
第２の実施の形態
次に本発明に係る第２の実施の形態を説明する。第１の実施の形態と同様に、第２の実施の形態は、図１ないし図５を参照して上記した基本構成および基本動作を前提とする。
【００８９】
図１０は、本発明の第２の実施の形態に係る無線リソースの管理装置を示すブロック図である。この実施の形態においても無線リソースの管理装置は、基地局２である。但し、無線リソースの管理装置は、基地局２と通信可能な他のネットワーク装置であってもよい。
【００９０】
第２の実施の形態に係る基地局２は、図６に示して上記した第１の実施の形態と類似した構成を有する。図７に例を示した符号使用管理テーブルは、第２の実施の形態に係る基地局２でも管理される。但し、第１の実施の形態では、新たに移動局に巡回シフト符号を割り当てる場合に、巡回シフト符号を新たに割り当てようとする移動局が属することになる移動局群に共通する共通の直近割り当て巡回シフト符号に基づくが、第２の実施の形態では、新たに移動局に巡回シフト符号を割り当てる場合に、巡回シフト符号を新たに割り当てようとする移動局が属することになる移動局群に共通する共通の直近解放巡回シフト符号に基づく。図６に示す直近割り当て巡回シフト符号管理部３５の代わりに、第２の実施の形態に係る基地局２は、直近解放巡回シフト符号管理部１３５を有する。
【００９１】
以下の説明では、第１の実施の形態と同様の動作は省略し、主に第２の実施の形態に固有の特徴を説明する。通信が終了または断絶した移動局から基地局２へのＣＱＩ報告に割り当てられていた無線リソース（周波数帯と周期的なサブフレーム群で特定されるリソース単位群と、巡回シフト符号の組合せ）をＣＱＩ報告リソース解放部３２が解放すると、ＣＱＩ報告リソース解放部３２は、解放された無線無線リソースについて、メモリ（使用済み巡回シフト符号記憶部）３６の符号使用管理テーブルの記録を、非使用を示す情報にリセットする。さらに、ＣＱＩ報告リソース解放部３２は、直近解放巡回シフト符号管理部１３５に、解放された無線リソースと当該移動局を通知する。
【００９２】
直近解放巡回シフト符号管理部１３５は、ＣＱＩ報告リソース解放部３２で直近に解放された巡回シフト符号（直近解放巡回シフト符号）をメモリ（直近解放巡回シフト符号記憶部）３６の直近解放管理テーブル（図１１参照）に記憶する。図１１は、基地局２で管理されメモリ３６に記憶される直近解放管理テーブルの内容の例を示す図である。図１１において、群１〜１０は移動局分類部３４で分類される上記の移動局群を示し、０〜１１の数字は巡回シフト符号のインデックス番号を示す。ハッチングは、その周波数およびその移動局群について、ＣＱＩ報告リソース解放部３２で直近に解放された巡回シフト符号を示す。図１１では、視覚的に理解が容易なように、直近に解放された巡回シフト符号がハッチングで示されているが、実際の直近解放管理テーブルでは、その周波数およびその移動局群について直近に解放された巡回シフト符号のインデックス番号だけが記憶されている。
【００９３】
ＣＱＩ報告リソース解放部３２による移動局へのＣＱＩ報告のための無線リソースの解放のたびに、直近解放管理テーブルは、直近解放巡回シフト符号管理部１３５により更新される。より具体的には、ＣＱＩ報告リソース解放部３２によって移動局へのＣＱＩ報告のための無線リソースが解放されると、直近解放巡回シフト符号管理部１３５は、ＣＱＩ報告リソース解放部３２で直近に解放された直近解放巡回シフト符号を、ＣＱＩ報告リソース解放部３２で無線リソースが直近に解放された移動局と同じリソース単位群を利用する同じ移動局群に属するすべての移動局（非ＳＰＳ移動局とＳＰＳ移動局を含む）に共通の直近解放巡回シフト符号として、直近解放管理テーブルに記憶する。例えば、ＣＱＩ報告リソース割り当て部２８が、ある移動局に周波数帯Ａ、サブフレーム番号０を指定し、インデックス番号４の巡回シフト符号を割り当てていたと想定する。移動局分類部３４は、その移動局を上記の通り移動局群＃１に分類する。そして、ＣＱＩ報告リソース解放部３２がこの移動局のための周波数帯Ａ、サブフレーム番号０、インデックス番号４の巡回シフト符号の無線リソースを解放したと想定する。直近解放巡回シフト符号管理部１３５は、インデックス番号４の巡回シフト符号を、周波数帯Ａ、移動局群＃１の移動局に共通する直近解放巡回シフト符号として、直近解放管理テーブルに記憶する。
【００９４】
次に、ＣＱＩ報告リソース割り当て部２８による上りリンクの無線リソースの割り当てをさらに詳細に説明する。まずＣＱＩ報告の送信周期がより短いＳＰＳ移動局（第１の移動局）への無線リソースの割り当てを説明する。
【００９５】
新規通信検出部２６がＳＰＳ移動局に関する新規な通信要求を検出したとき、第１の実施の形態と同様に、ＣＱＩ報告リソース割り当て部（リソース単位群指定部）２８は、メモリ３６の符号使用管理テーブル（図７参照）を参照し、巡回シフト符号の使用率または使用数が最も低く、かつ好適順位が最も高いリソース単位群を、当該ＳＰＳ移動局のＣＱＩ報告のために選択すなわち指定する。
【００９６】
基地局２の設置後、初めて移動局と通信する場合には、すべてのリソース単位においてすべての巡回シフト符号が非使用である。基地局２の再起動後、初めて移動局と通信する場合も同様である。この場合には、好適順位が最も高い周波数帯Ａのサブフレーム＃０、＃１０、＃２０、＃３０で開始する周期が１０サブフレームのリソース単位群を、ＣＱＩ報告リソース割り当て部２８（リソース単位群指定部）は、当該ＳＰＳ移動局のＣＱＩ報告のために選択すなわち指定する。
【００９７】
このようにしてある周波数帯で一定周期を有する上りリンクのリソース単位群をＳＰＳ移動局のＣＱＩ報告のためのリソース単位群として指定した後、ＣＱＩ報告リソース割り当て部（巡回シフト符号割り当て部）２８は、指定されたリソース単位群について、上記の所定の優先順位に従って、一つの巡回シフト符号を、当該ＳＰＳ移動局から基地局２へのＣＱＩ報告のために割り当てる。より具体的には、ＣＱＩ報告リソース割り当て部２８は、直近解放管理テーブル（図１１)と符号使用管理テーブル（図７)を参照して、巡回シフト符号を新たに割り当てようとするＳＰＳ移動局が属することになる移動局群に共通する共通の直近解放巡回シフト符号より低い優先順位を持ち、この移動局群に属する他の移動局からのＣＱＩ報告で使用されておらず、かつ最も高い優先順位を持つ巡回シフト符号を、基地局２と当該ＳＰＳ移動局の間で新たに発生した通信のために当該ＳＰＳ移動局から基地局２へのＣＱＩ報告に新たに割り当てる。
【００９８】
図１２を参照して、巡回シフト符号の割り当てをより詳細に説明する。ＣＱＩ報告リソース割り当て部２８は、周波数帯Ａのサブフレーム＃０、＃１０、＃２０、＃３０で開始する周期が１０サブフレームのリソース単位群を当該ＳＰＳ移動局のＣＱＩ報告のために指定したと想定する。ＳＰＳ移動局が属することになる移動局群は移動局群＃１であり、周波数帯Ａの移動局群＃１に共通する共通の直近解放巡回シフト符号は、インデックス番号４を持つと想定する。図１２の例では、図４Ａの例と同様に、各リソース単位において、１２個の巡回シフト符号のすべてがＣＱＩ報告のために利用可能である。しかし、図１２に示すように、サブフレーム＃０、＃１０、＃２０、＃３０の各々では、いくつかの巡回シフト符号が他の移動局からのＣＱＩ報告で使用されている。すなわち、いくつかの巡回シフト符号が移動局群＃１に属する他の移動局からのＣＱＩ報告で使用されている。
【００９９】
図４Ａを参照して上述したように、１２個の巡回シフト符号のすべてがＣＱＩ報告のために利用可能である例では、優先順位は0、4、8、2、6、10、1、5、9、3、7、11である。移動局群＃１に共通する共通の直近解放巡回シフト符号のインデックス番号は４であるので、次の優先順位の８に着目する。しかし、インデックス番号８の巡回シフト符号はサブフレーム＃０、＃２０、＃３０で他の移動局に使用されているので、次の優先順位の２に着目する。しかし、インデックス番号２の巡回シフト符号はサブフレーム＃０、＃１０、＃２０、＃３０で他の移動局に使用されているので、次の優先順位の６に着目する。しかし、インデックス番号６の巡回シフト符号はサブフレーム＃０、＃１０、＃２０、＃３０で他の移動局に使用されているので、次の優先順位の１０に着目する。しかし、インデックス番号１０の巡回シフト符号はサブフレーム＃０、＃３０で他の移動局に使用されているので、次の巡回的な優先順位の１に着目する。このようにして、インデックス番号４の直近解放巡回シフト符号より低い優先順位を持ち、この移動局群＃１に属する他の移動局からのＣＱＩ報告で使用されておらず、かつ最も高い優先順位を持つ巡回シフト符号は、インデックス番号７の巡回シフト符号であることが判断される。ＣＱＩ報告リソース割り当て部２８は、インデックス番号７の巡回シフト符号を、新たに通信しようとするＳＰＳ移動局に割り当てる。
【０１００】
巡回シフト符号を新たに割り当てようとするＳＰＳ移動局が属することになる移動局群に共通の直近解放巡回シフト符号がなく、この移動局群に属する他の移動局からのＣＱＩ報告で使用されている巡回シフト符号がない場合には、優先順位が最も高い巡回シフト符号、すなわちインデックス番号０を持つ巡回シフト符号を、ＣＱＩ報告リソース割り当て部２８は当該ＳＰＳ移動局に割り当てる。例えば、基地局２の設置または基地局２の再起動後、初めて移動局と通信する場合、このような事象が起こりうる。
【０１０１】
次にＣＱＩ報告の送信周期がより長い非ＳＰＳ移動局（第２の移動局）への無線リソースの割り当てを説明する。新規通信検出部２６が非ＳＰＳ移動局に関する新規な通信要求を検出したとき、ＣＱＩ報告リソース割り当て部（リソース単位群指定部）２８は、第１の実施の形態と同様に、メモリ３６の符号使用管理テーブル（図７参照）を参照し、巡回シフト符号の使用率または使用数が最も低く、かつ好適順位が最も高いリソース単位群を、当該非ＳＰＳ移動局のＣＱＩ報告のために選択すなわち指定する。
【０１０２】
基地局２の設置後、初めて移動局と通信する場合には、すべてのリソース単位においてすべての巡回シフト符号が非使用である。基地局２の再起動後、初めて移動局と通信する場合も同様である。この場合には、好適順位が最も高い周波数帯Ａのサブフレーム＃０で開始する周期が４０サブフレームのリソース単位群を、ＣＱＩ報告リソース割り当て部２８（リソース単位群指定部）は、当該非ＳＰＳ移動局のＣＱＩ報告のために選択すなわち指定する。
【０１０３】
このようにしてある周波数帯で一定周期を有する上りリンクのリソース単位群を非ＳＰＳ移動局のＣＱＩ報告のためのリソース単位群として指定した後、ＣＱＩ報告リソース割り当て部（巡回シフト符号割り当て部）２８は、指定されたリソース単位群について、上記の所定の優先順位に従って、一つの巡回シフト符号を、当該非ＳＰＳ移動局から基地局２へのＣＱＩ報告のために割り当てる。より具体的には、ＣＱＩ報告リソース割り当て部２８は、直近解放管理テーブル（図１１)と符号使用管理テーブル（図７)を参照して、巡回シフト符号を新たに割り当てようとする非ＳＰＳ移動局が属することになる移動局群に共通する共通の直近解放巡回シフト符号より低い優先順位を持ち、ＣＱＩ報告リソース割り当て部２８で選択されたリソース単位群において他の移動局からのＣＱＩ報告で使用されておらず、かつ最も高い優先順位を持つ巡回シフト符号を、基地局２と当該非ＳＰＳ移動局の間で新たに発生した通信のために当該非ＳＰＳ移動局から基地局２へのＣＱＩ報告に新たに割り当てる。
【０１０４】
図１２を参照して、巡回シフト符号の割り当てをより詳細に説明する。ＣＱＩ報告リソース割り当て部２８は、周波数帯Ａのサブフレーム＃１０で開始する周期が４０サブフレームのリソース単位群を当該非ＳＰＳ移動局のＣＱＩ報告のために指定したと想定する。非ＳＰＳ移動局が属することになる移動局群は移動局群＃１であり、周波数帯Ａの移動局群＃１に共通する共通の直近解放巡回シフト符号は、インデックス番号４を持つと想定する。図１２の例では、図４Ａの例と同様に、各リソース単位において、１２個の巡回シフト符号のすべてがＣＱＩ報告のために利用可能である。しかし、図１２に示すように、サブフレーム＃１０では、いくつかの巡回シフト符号が他の移動局からのＣＱＩ報告で使用されている。すなわち、ＣＱＩ報告リソース割り当て部２８で選択されたサブフレーム＃１０で開始する周期が４０サブフレームのリソース単位群において、いくつかの巡回シフト符号が他の移動局からのＣＱＩ報告で使用されている。
【０１０５】
図４Ａを参照して上述したように、１２個の巡回シフト符号のすべてがＣＱＩ報告のために利用可能である例では、優先順位は0、4、8、2、6、10、1、5、9、3、7、11である。移動局群＃１に共通する共通の直近解放巡回シフト符号のインデックス番号は４であるので、次の優先順位の８に着目する。インデックス番号８の巡回シフト符号はサブフレーム＃１０で他の移動局に使用されていない。このようにして、インデックス番号４の直近解放巡回シフト符号より低い優先順位を持ち、ＣＱＩ報告リソース割り当て部２８で選択されたサブフレーム＃１０で開始する周期が４０サブフレームのリソース単位群において他の移動局からのＣＱＩ報告で使用されておらず、かつ最も高い優先順位を持つ巡回シフト符号は、インデックス番号８の巡回シフト符号であることが判断される。ＣＱＩ報告リソース割り当て部２８は、インデックス番号８の巡回シフト符号を、新たに通信しようとする非ＳＰＳ移動局に割り当てる。
【０１０６】
巡回シフト符号を新たに割り当てようとするＳＰＳ移動局が属することになる移動局群に共通の直近解放巡回シフト符号がなく、この移動局群に属する他の移動局からのＣＱＩ報告で使用されている巡回シフト符号がない場合には、優先順位が最も高い巡回シフト符号、すなわちインデックス番号０を持つ巡回シフト符号を、ＣＱＩ報告リソース割り当て部２８は当該非ＳＰＳ移動局に割り当てる。例えば、基地局２の設置または基地局２の再起動後、初めて移動局と通信する場合、このような事象が起こりうる。
【０１０７】
この無線リソースの管理方法では、基地局と一つの移動局の間で新たな通信が発生するときに、複数の巡回シフト符号がそれらの巡回生成順序と同順序でも逆順序でもなく並べられた所定の優先順位に従って、一つの巡回シフト符号を、当該移動局から基地局へのＣＱＩ報告に新たに割り当てる。ＣＱＩ報告リソース割り当て部２８は、指定されたリソース単位群において他の移動局からのＣＱＩ報告で使用されていない巡回シフト符号を、基地局と移動局の間で新たに発生した通信のために当該移動局から基地局へのＣＱＩ報告に新たに割り当てるので、他の移動局からのＣＱＩ報告で現在使用中の巡回シフト符号を、新規な通信に割り当てることを避けることができる。また、ＣＱＩ報告リソース割り当て部２８は、他の移動局からのＣＱＩ報告から直近に解放された直近解放巡回シフト符号より低い優先順位を持ち、指定されたリソース単位群において他の移動局からのＣＱＩ報告で使用されておらず、かつ最も高い優先順位を持つ巡回シフト符号を、基地局と移動局の間で新たに発生した通信のために当該移動局から基地局へのＣＱＩ報告に新たに割り当てる。このため、そのリソース単位群において、直近に解放された直近解放巡回シフト符号を新たに発生した通信のために割り当てることを回避することができる。したがって、新たに基地局と通信しようとする移動局に、基地局が解放した直後のＣＱＩ報告のための巡回シフト符号を割り当てるおそれはない。また、移動局に割り当てられる巡回シフト符号の優先順位は、それらの巡回生成順序と同順序でも逆順序でもなく並べられているため、巡回生成順序が近い巡回シフト符号が二つの移動局に割り当てられるおそれが少ない。このため、ある移動局からのある巡回符号を用いたＣＱＩ報告の遅延波が、他の移動局からの他の巡回符号を用いたＣＱＩ報告に干渉するおそれが少ない。
【０１０８】
メモリ３６の直近解放管理テーブルには、定期的に同じリソース単位群を共用するであろう複数の移動局からなる移動局群に共通の直近解放巡回シフト符号が記憶され、移動局に巡回シフト符号を新たに割り当てる場合に、ＣＱＩ報告リソース割り当て部２８は、その移動局が属することになる移動局群に共通する共通の直近解放巡回シフト符号より低い優先順位を持つ巡回シフト符号をその移動局に割り当てる。このように、定期的に同じリソース単位群を共用するであろう複数の移動局群に共通の直近解放巡回シフト符号を管理することで、各移動局群に属する複数の移動局に同一の巡回シフト符号が割り当てられることを防止することができる。
【０１０９】
基地局と一つの非ＳＰＳ移動局の間で新たな通信が発生するときに、ＣＱＩ報告リソース割り当て部２８は、非ＳＰＳ移動局からのＣＱＩ報告に割り当て可能な上りリンクの複数のリソース単位群のうち、他の移動局からのＣＱＩ報告に使用済みの巡回シフト符号の数が最も少ないリソース単位群を選択する。これにより、ＣＱＩ報告の送信周期がより長い非ＳＰＳ移動局に、干渉のおそれが少ないリソース単位を指定することができる。送信周期が長いことは、一旦受信側で受信に失敗すると、次に受信成功するまでの期間が長いことを意味する。干渉のおそれが少ないリソース単位を非ＳＰＳ移動局に指定することにより、送信周期が長い非ＳＰＳ移動局から基地局がチャネル品質インジケータ報告を受信成功する確実性が高まる。
【０１１０】
他の変形
上記の実施の形態では、非ＳＰＳ移動局のＣＱＩ報告の送信周期が４０ｍｓであり、ＳＰＳ移動局のＣＱＩ報告の送信周期が１０ｍｓであるが、送信周期はこれらに限られない。非ＳＰＳ移動局のＣＱＩ報告の送信周期がＳＰＳ移動局のＣＱＩ報告の送信周期と一致していて、ＳＰＳ移動局と非ＳＰＳ移動局が「完全に同じリソース単位群を利用」してＣＱＩ報告を送信してもよい。
【０１１１】
非ＳＰＳ移動局のＣＱＩ報告の送信周期がＳＰＳ移動局のＣＱＩ報告の送信周期より短くてもよい。この場合には、第１の実施の形態および第２の実施の形態において、基地局と一つのＳＰＳ移動局の間で新たな通信が発生するときに、ＣＱＩ報告リソース割り当て部２８は、ＳＰＳ移動局からのＣＱＩ報告に割り当て可能な上りリンクの複数のリソース単位群のうち、他の移動局からのＣＱＩ報告に使用済みの巡回シフト符号の数が最も少ないリソース単位群を選択すると好ましい。これにより、ＣＱＩ報告の送信周期がより長いＳＰＳ移動局に、干渉のおそれが少ないリソース単位を指定することができる。
移動局からのＣＱＩ報告の送信周期は、基地局でのスケジューリングの周期と同じでもよいし、異なっていてもよい。
【０１１２】
基地局２において、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【符号の説明】
【０１１３】
２  基地局、２ａ  セル、４  移動局、１０  受信アンテナ、１２  無線受信部、１４  受信信号処理部、１６  ＣＱＩ報告解析部、１８  リソース割り当て部、２０  送信信号処理部、２２  無線送信部、２４  送信アンテナ、２６  新規通信検出部、２８  ＣＱＩ報告リソース割り当て部（リソース単位群指定部、巡回シフト符号割り当て部）、３０  通信終了・断絶検出部、３２  ＣＱＩ報告リソース解放部（巡回シフト符号解放部）、３４  移動局分類部、３５  直近割り当て巡回シフト符号管理部、３６  メモリ（使用済み巡回シフト符号記憶部、直近割り当て巡回シフト符号記憶部、直近解放巡回シフト符号記憶部）、１３５  直近解放巡回シフト符号管理部。
【要約】
【課題】新たに基地局と通信しようとする移動局に、基地局が解放した直後のチャネル品質インジケータ（ＣＱＩ）報告のための無線リソースを割り当てるおそれを低減する。
【解決手段】ＣＱＩ報告のために使用される巡回シフト符号を管理する方法で、基地局と移動局の間で新たな通信が発生するときに、所定の優先順位に従って、巡回シフト符号をこの移動局からのＣＱＩ報告に新たに割り当てる。通信が終了または断絶するとき巡回シフト符号を解放する。割り当てるステップでは、他の移動局からのＣＱＩ報告のために直近に割り当てられた巡回シフト符号より低い優先順位を持ち、他の移動局からのＣＱＩ報告で使用されておらず、かつ最も高い優先順位を持つ巡回シフト符号を、新たに発生した通信のために移動局からのＣＱＩ報告に割り当てる。
【選択図】図６【図１】
0005210441.tif 000002
【図２】
0005210441.tif 000003
【図３】
0005210441.tif 000004
【図４Ａ】
0005210441.tif 000005
【図４Ｂ】
0005210441.tif 000006
【図４Ｃ】
0005210441.tif 000007
【図５】
0005210441.tif 000008
【図６】
0005210441.tif 000009
【図７】
0005210441.tif 000010
【図８】
0005210441.tif 000011
【図９】
0005210441.tif 000012
【図１０】
0005210441.tif 000013
【図１１】
0005210441.tif 000014
【図１２】
0005210441.tif 000015